(57)【要約】【課題】発信端末に対する圏外ガイダンス報知中に同無線端末が圏内復帰すると、新たな発呼操作を要することなく、無線端末への着呼を再開する。【解決手段】無線端末２を無線収容する無線基地局３と、無線端末に対して発信端末４からの発呼信号を受信すると、同無線端末への着呼を指示する着呼信号を、同無線端末を無線収容する無線基地局に送信する交換装置６とを有する電話交換システム１であって、交換装置は、無線端末への着呼中に、同無線端末への着呼に対する着呼応答が所定期間内にない場合、同無線端末への着呼を保持する着呼保持制御部２５と、同無線端末への着呼を保持中に、同無線端末から無線基地局を通じて位置登録要求を受信すると、この無線基地局に対して、同無線端末への再着呼を指示する着呼信号を送信する再着呼部２８とを有している。【選択図】図２
2008306432.tif 000002
【特許請求の範囲】
【請求項１】
無線端末を無線収容する無線基地局と、前記無線端末に対して発信端末からの発呼信号を受信すると、同無線端末への着呼を指示する着呼信号を、同無線端末を無線収容する無線基地局に送信する交換装置とを有する電話交換システムであって、
前記交換装置は、
前記無線基地局を通じて前記発信端末から前記無線端末への着呼中に、同無線端末への着呼に対する同無線端末の応答が所定期間内にあるか否かを判定し、同無線端末の応答が所定期間内にない場合、同無線端末への着呼を保持する着呼保持手段と、
この着呼保持手段にて同無線端末への着呼を保持中に、同無線端末から前記無線基地局を通じて位置登録要求を受信すると、この無線基地局に対して、同無線端末への再着呼を指示する着呼信号を送信する再着呼手段とを有することを特徴とする電話交換システム。
【請求項２】
前記着呼保持手段は、
前記無線端末への着呼を保持すべく、同無線端末の電話番号及び、同無線端末へ着呼中の前記発信端末の電話番号を対応付けて管理する電話番号管理手段を有し、
前記再着呼手段は、
前記無線端末への着呼を保持中に、同無線端末から前記無線基地局を通じて位置登録要求を受信すると、この位置登録要求に含まれる同無線端末の電話番号に対応した前記発信端末の電話番号が前記電話番号管理手段内にあるか否かを判定し、同無線端末の電話番号に対応した同発信端末の電話番号がある場合、同無線端末への再着呼を指示する着呼信号を、同無線端末を無線収容する前記無線基地局に送信することを特徴とする請求項１記載の電話交換システム。
【請求項３】
前記交換装置は、
前記無線端末への着呼に対する同無線端末の応答が所定期間内にない場合、前記発信端末に対して、前記無線端末の無線圏外を示す圏外ガイダンスを通知する圏外通知手段を有することを特徴とする請求項１又は２記載の電話交換システム。
【請求項４】
前記交換装置は、
前記無線端末への着呼を保持中に、同無線端末から前記無線基地局を通じて位置登録要求を受信すると、前記発信端末に対して前記無線端末への再接続を示す再接続ガイダンスを通知する再接続通知手段を有することを特徴とする請求項１，２又は３記載の電話交換システム。
【請求項５】
前記着呼保持手段は、
前記無線端末への着呼に対する同無線端末の応答が所定期間内にないと判定されてから所定時間を経過するまで、同無線端末への着呼を保持することを特徴とする請求項１，２，３又は４記載の電話交換システム。
【請求項６】
前記発信端末は、
終話操作に応じて終話信号を前記交換装置に対して送信する終話信号送信手段を有し、
前記着呼保持手段は、
前記圏外通知手段を通じて前記発信端末に対する前記圏外ガイダンスの通知開始から、同発信端末から前記終話信号を受信するまで、前記無線端末への着呼を保持することを特徴とする請求項１，２，３又は４記載の電話交換システム。
【請求項７】
無線端末を無線収容する無線基地局と、この無線基地局をＩＰネットワークに接続して、前記無線端末の位置情報を、同無線端末を無線収容する前記無線基地局のＩＰアドレスで管理する制御装置とを有し、前記無線端末に対して発信端末から発呼するに際し、前記発信端末は、前記無線端末を無線収容する前記無線基地局のＩＰアドレスに基づき、前記無線端末への着呼を指示すべく、同無線基地局に対して発呼要求を送信するＩＰネットワークシステムであって、
前記制御装置は、
前記無線基地局を通じて前記発信端末から前記無線端末への着呼中に、前記無線基地局を通じて同無線端末への着呼に対する同無線端末の応答が所定期間内にない場合、同無線端末への着呼を保持する着呼保持手段と、
この着呼保持手段にて同無線端末への着呼を保持中に、同無線端末から前記無線基地局を通じて位置登録要求を受信すると、前記発信端末に対して、前記無線端末への再発呼を要求する再発呼要求を送信する再発呼要求手段とを有し、
前記発信端末は、
前記再発呼要求手段からの前記再発呼要求を受信すると、同無線端末への着呼を指示する前記発呼要求を、同無線端末を無線収容する前記無線基地局に対して送信することを特徴とするＩＰネットワークシステム。
【請求項８】
前記着呼保持手段は、
前記無線端末への着呼を保持すべく、同無線端末の電話番号及び、同無線端末へ着呼中の前記発信端末の電話番号を対応付けて管理する電話番号管理手段を有し、
前記再発呼要求手段は、
前記無線端末への着呼を保持中に、同無線端末から前記無線基地局を通じて位置登録要求を受信すると、この位置登録要求に含まれる同無線端末の電話番号に対応した同発信端末の電話番号が前記電話番号管理手段内にあるか否かを判定し、同無線端末の電話番号に対応した発信端末の電話番号がある場合、前記発信端末に対して、同無線端末への再発呼を要求する前記再発呼要求を送信することを特徴とする請求項７記載のＩＰネットワークシステム。
【請求項９】
前記無線基地局を通じて同無線端末への着呼に対する同無線端末の応答が所定期間内にない場合、前記発信端末に対して圏外通知を通知する圏外通知手段を有し、
前記発信端末は、
前記圏外通知手段から前記圏外通知を受信すると、前記無線端末の無線圏外を報知するメッセージ又は報知音を出力することを特徴とする請求項７又は８記載のＩＰネットワークシステム。
【請求項１０】
前記発信端末は、
前記再発呼要求手段から前記再発呼要求を受信すると、前記無線端末への再接続を示すメッセージ又は報知音を出力することを特徴とする請求項７，８又は９記載のＩＰネットワークシステム。
【請求項１１】
前記着呼保持手段は、
前記無線基地局を通じて同無線端末への着呼に対する同無線端末の応答が所定期間内にないと判定されてから所定時間を経過するまで、同無線端末への着呼を保持することを特徴とする請求項７，８，９又は１０記載のＩＰネットワークシステム。
【請求項１２】
前記制御装置は、
Ｈ．３２３プロトコルで通信を実行するゲートキーパ装置であることを特徴とする請求項７，８，９，１０又は１１記載のＩＰネットワークシステム。
【請求項１３】
前記制御装置は、
ＳＩＰプロトコルで通信を実行するＳＩＰプロキシサーバであることを特徴とする請求項７，８，９，１０又は１１記載のＩＰネットワークシステム。
【発明の詳細な説明】
【技術分野】
【０００１】
本発明は、例えば発信端末から無線圏外の無線端末への発呼に際し、発信端末に対してガイダンスを通知する機能を備えた電話交換システム及びＩＰネットワークシステムに関する。
【背景技術】
【０００２】
従来、このような発信端末から無線端末への発呼に際してガイダンスを通知する機能を備えたシステムとしては、無線端末の位置情報を管理し、発信端末から無線端末への発呼を検出すると、同無線端末が圏外等の通話不可の場合、発信端末に対して圏外ガイダンス等で通話不可を通知し、同無線端末が圏内復帰等で通話可になると、同無線端末に対して着信ありを通知するものがある（例えば特許文献１参照）。
【０００３】
このような特許文献１のシステムによれば、発信端末から圏外の無線端末に対して発呼した場合、発信端末に対して圏外ガイダンスを通知し、同無線端末が圏内復帰した場合、同無線端末に対して着信ありを通知するようにしたので、発信端末側のユーザは、圏外ガイダンスで発呼先の無線端末が圏外であることを認識することができると共に、無線端末側のユーザは、同無線端末が圏内復帰すると、圏外中に着信があったことを認識することができる。
【０００４】
また、従来のシステムとしては、無線端末が圏外等で着信が不可の場合、発信端末から同無線端末に着信が発生すると、この無線端末への着信を保留して、その発信端末側の呼接続を一旦切断し、同無線端末が圏内復帰等で着信可能な状態になると、発信端末及び無線端末双方に対して再発呼するものがある（例えば特許文献２参照）。
【０００５】
このような特許文献２のシステムによれば、無線端末が圏内復帰すると、無線端末及び発信端末双方に再発呼するようにしたので、発信端末側のユーザは、再発呼に応じて、圏内復帰した無線端末と直ぐに通話が可能になる。
【０００６】
また、従来のシステムとしては、ネットワーク側が無線端末の移動を追跡監視し、同無線端末が圏内復帰した場合、ネットワーク側が発信端末に対して無線端末の圏内復帰を通知するものがある（例えば特許文献３参照）。
【０００７】
このような特許文献３のシステムによれば、無線端末が圏内復帰した場合、同無線端末の圏内復帰を発信端末に対して通知するようにしたので、発信端末側のユーザは、圏内復帰した無線端末と直ぐに通話が可能になる。
【特許文献１】特開平５−３１６５６０号公報（要約書及び図１、図２参照）
【特許文献２】特開平１１−９８５６２号公報（要約書及び図１参照）
【特許文献３】特開２００１−２５１６８２号公報（要約書及び図１参照）
【発明の開示】
【発明が解決しようとする課題】
【０００８】
しかしながら、上記特許文献１のシステムによれば、発信端末から無線端末への着呼に対する同無線端末の応答が所定期間内にない場合、同発信端末側の呼接続を切断して、同発信端末に対して圏外ガイダンスを通知し、同無線端末が圏内復帰等で通話可になると、同無線端末に対して着信ありを通知するようにしたが、そもそも、発信端末側は、無線端末への着呼に対する同無線端末の応答が所定期間内にない場合、無線端末への着呼を保持することなく、その発信端末側の呼接続を即座に切断することになるため、例えば発信端末に対する圏外ガイダンス通知中に同無線端末が圏内復帰したとしても、圏内復帰した無線端末への着呼を再開するためには再度の発呼操作を要することから、その使い勝手が良くない。
【０００９】
また、上記特許文献２のシステムによれば、発信端末から無線端末への着呼に対する同無線端末の応答が所定期間内にない場合、その発信端末側の呼接続を即座に切断し、同無線端末が圏内復帰すると、無線端末及び発信端末双方に対して再発呼を自動的に行うようにしたが、そもそも、発信端末側は、無線端末への着呼に対する同無線端末の応答が所定期間内にない場合、無線端末への着呼を保持することなく、その発信端末側の呼接続を即座に切断しなければならず、その使い勝手が良くない。
【００１０】
また、上記特許文献３のシステムによれば、発信端末から無線端末への着呼に対する同無線端末の応答が所定期間内にない場合、その発信端末側の呼接続を即座に切断し、無線端末が圏内復帰すると、発信端末に対して無線端末の圏内復帰を通知するようにしたが、そもそも、発信端末側は、無線端末への着呼に対する同無線端末の応答が所定期間内にない場合、無線端末への着呼を保持することなく、その発信端末側の呼接続を即座に切断しなければならず、同無線端末が圏内復帰したとしても、圏内復帰した無線端末への着呼を再開するためには再度の発呼操作を要することから、その使い勝手が良くない。
【００１１】
本発明は上記点に鑑みてなされたものであり、その目的とするところは、発信端末から無線端末への着呼に対する同無線端末の応答が所定期間内になくても、同無線端末への着呼を保持中に同無線端末からの位置登録要求を受信した場合、新たな発呼操作を要することなく、無線端末への着呼を再開することができる、操作性に優れた電話交換システム及びＩＰネットワークシステムを提供することにある。
【課題を解決するための手段】
【００１２】
上記目的を達成するために本発明の電話交換システムは、無線端末を無線収容する無線基地局と、前記無線端末に対して発信端末からの発呼信号を受信すると、同無線端末への着呼を指示する着呼信号を、同無線端末を無線収容する無線基地局に送信する交換装置とを有する電話交換システムであって、前記交換装置は、前記無線基地局を通じて前記発信端末から前記無線端末への着呼中に、同無線端末への着呼に対する同無線端末の応答が所定期間内にあるか否かを判定し、同無線端末の応答が所定期間内にない場合、同無線端末への着呼を保持する着呼保持手段と、この着呼保持手段にて同無線端末への着呼を保持中に、同無線端末から前記無線基地局を通じて位置登録要求を受信すると、この無線基地局に対して、同無線端末への再着呼を指示する着呼信号を送信する再着呼手段とを有するようにした。
【００１３】
また、上記目的を達成するために本発明のＩＰネットワークシステムは、無線端末を無線収容する無線基地局と、この無線基地局をＩＰネットワークに接続して、前記無線端末の位置情報を、同無線端末を無線収容する前記無線基地局のＩＰアドレスで管理する制御装置とを有し、前記無線端末に対して発信端末から発呼するに際し、前記発信端末は、前記無線端末を無線収容する前記無線基地局のＩＰアドレスに基づき、前記無線端末への着呼を指示すべく、同無線基地局に対して発呼要求を送信するＩＰネットワークシステムであって、前記制御装置は、前記無線基地局を通じて前記発信端末から前記無線端末への着呼中に、前記無線基地局を通じて同無線端末への着呼に対する同無線端末の応答が所定期間内にない場合、同無線端末への着呼を保持する着呼保持手段と、この着呼保持手段にて同無線端末への着呼を保持中に、同無線端末から前記無線基地局を通じて位置登録要求を受信すると、前記発信端末に対して、前記無線端末への再発呼を要求する再発呼要求を送信する再発呼要求手段とを有し、前記発信端末は、前記再発呼要求手段からの前記再発呼要求を受信すると、同無線端末への着呼を指示する前記発呼要求を、同無線端末を無線収容する前記無線基地局に対して送信するようにした。
【発明の効果】
【００１４】
上記のように構成された本発明の電話交換システムによれば、前記発信端末から前記無線端末への着呼中に、同無線端末への着呼に対する同無線端末の応答が所定期間内にない場合、同無線端末への着呼を保持すると共に、同無線端末への着呼を保持中に、同無線端末から前記無線基地局を通じて位置登録要求を受信すると、この無線基地局に対して、同無線端末への再着呼を指示する着呼信号を送信するようにしたので、例えば電話交換システム内の発信端末から無線端末への着呼に対する同無線端末の応答が所定期間内になくても、同無線端末への着呼を保持中に、例えば同無線端末が圏内復帰した、すなわち同無線端末からの位置登録要求を受信した場合、新たな発呼操作を要することなく、無線端末への着呼を再開することができる。
【００１５】
また、上記のように構成された本発明のＩＰネットワークシステムによれば、前記発信端末から前記無線端末への着呼中に、前記無線基地局を通じて同無線端末への着呼に対する同無線端末の応答が所定期間内にない場合、同無線端末への着呼を保持すると共に、同無線端末への着呼を保持中に、同無線端末から前記無線基地局を通じて位置登録要求を受信すると、前記発信端末に対して、前記無線端末への再発呼を要求する再発呼要求を送信し、前記発信端末側は、前記再発呼要求を受信すると、同無線端末への着呼を指示する前記発呼要求を、同無線端末を無線収容する前記無線基地局に対して送信するようにしたので、例えばＩＰネットワークシステム内の発信端末から無線端末への着呼に対する同無線端末の応答が所定期間内になくても、同無線端末への着呼を保持中に、例えば同無線端末が圏内復帰した、すなわち同無線端末からの位置登録要求を受信した場合、新たな発呼操作を要することなく、無線端末への着呼を再開することができる。
【発明を実施するための最良の形態】
【００１６】
本願請求項１記載の電話交換システムは、無線端末を無線収容する無線基地局と、前記無線端末に対して発信端末からの発呼信号を受信すると、同無線端末への着呼を指示する着呼信号を、同無線端末を無線収容する無線基地局に送信する交換装置とを有する電話交換システムであって、前記交換装置は、前記無線基地局を通じて前記発信端末から前記無線端末への着呼中に、同無線端末への着呼に対する同無線端末の応答が所定期間内にあるか否かを判定し、同無線端末の応答が所定期間内にない場合、同無線端末への着呼を保持する着呼保持手段と、この着呼保持手段にて同無線端末への着呼を保持中に、同無線端末から前記無線基地局を通じて位置登録要求を受信すると、この無線基地局に対して、同無線端末への再着呼を指示する着呼信号を送信する再着呼手段とを有するようにした。
【００１７】
従って、本願請求項１記載の電話交換システムによれば、前記発信端末から前記無線端末への着呼中に、同無線端末への着呼に対する同無線端末の応答が所定期間内にない場合、同無線端末への着呼を保持すると共に、同無線端末への着呼を保持中に、同無線端末から前記無線基地局を通じて位置登録要求を受信すると、この無線基地局に対して、同無線端末への再着呼を指示する着呼信号を送信するようにしたので、例えば電話交換システム内の発信端末から無線端末への着呼に対する同無線端末の応答が所定期間内になくても、同無線端末への着呼を保持中に、例えば同無線端末が圏内復帰した、すなわち同無線端末からの位置登録要求を受信した場合、新たな発呼操作を要することなく、無線端末への着呼を再開することができる。
【００１８】
また、本願請求項２記載の電話交換システムは、本願請求項１記載の構成において、前記着呼保持手段は、前記無線端末への着呼を保持すべく、同無線端末の電話番号及び、同無線端末へ着呼中の前記発信端末の電話番号を対応付けて管理する電話番号管理手段を有し、前記再着呼手段は、前記無線端末への着呼を保持中に、同無線端末から前記無線基地局を通じて位置登録要求を受信すると、この位置登録要求に含まれる同無線端末の電話番号に対応した同発信端末の電話番号が前記電話番号管理手段内にあるか否かを判定し、同無線端末の電話番号に対応した同発信端末の電話番号がある場合、同無線端末への再着呼を指示する着呼信号を、同無線端末を無線収容する前記無線基地局に送信するようにした。
【００１９】
従って、本願請求項２記載の電話交換システムによれば、本願請求項１記載の効果に加えて、前記無線端末への着呼を保持中に、同無線端末から前記無線基地局を通じて位置登録要求を受信し、この位置登録要求に含まれる同無線端末の電話番号に対応した同発信端末の電話番号が前記電話番号管理手段内にある場合、同無線端末への再着呼を指示する着呼信号を、同無線端末を無線収容する前記無線基地局に送信するようにしたので、発信端末から無線端末への着呼に対する同無線端末の応答が所定期間内になくても、同無線端末への着呼を保持中に、例えば同無線端末が圏内復帰、すなわち同無線端末からの位置登録要求を受信した場合、新たな発呼操作を要することなく、無線端末への着呼を再開することができる。
【００２０】
また、本願請求項３記載の電話交換システムは、本願請求項１又は２記載の構成において、前記交換装置は、前記無線端末への着呼に対する同無線端末の応答が所定期間内にない場合、前記発信端末に対して、前記無線端末の無線圏外を示す圏外ガイダンスを通知する圏外通知手段を有するようにした。
【００２１】
従って、本願請求項３記載の電話交換システムによれば、本願請求項１又は２記載の効果に加えて、前記無線端末への着呼に対する同無線端末の応答が所定期間内にない場合、前記発信端末に対して、前記無線端末の無線圏外を示す圏外ガイダンスを通知するようにしたので、発信端末側のユーザは、圏外ガイダンスに応じて発呼先の無線端末の無線圏外を認識することができる。
【００２２】
また、本願請求項４記載の電話交換システムは、本願請求項１、２又は３記載の構成において、前記交換装置は、前記無線端末への着呼を保持中に、同無線端末から前記無線基地局を通じて位置登録要求を受信すると、前記発信端末に対して前記無線端末への再接続を示す再接続ガイダンスを通知する再接続通知手段を有するようにした。
【００２３】
従って、本願請求項４記載の電話交換システムによれば、本願請求項１，２又は３記載の効果に加えて、前記無線端末への着呼を保持中に、同無線端末から前記無線基地局を通じて位置登録要求を受信すると、前記発信端末に対して前記無線端末への再接続を示す再接続ガイダンスを通知するようにしたので、発信端末側のユーザは、再接続ガイダンスに応じて発呼先の無線端末との再接続を認識することができる。
【００２４】
また、本願請求項５記載の電話交換システムは、本願請求項１，２，３又は４記載の構成において、前記着呼保持手段は、前記無線端末への着呼に対する同無線端末の応答が所定期間内にないと判定されてから所定時間を経過するまで、同無線端末への着呼を保持するようにした。
【００２５】
従って、本願請求項５記載の電話交換システムによれば、本願請求項１，２，３又は４記載の効果に加えて、前記無線端末への着呼に対する同無線端末の応答が所定期間内にないと判定されてから所定時間を経過するまで、同無線端末への着呼を保持するようにしたので、発信端末側のユーザは、無線端末への着呼に対する同無線端末の応答が所定期間内になくても、その後、例えば圏外ガイダンスタイマの所定時間を経過するまでに位置登録要求を受信した場合、新たな発呼操作を要することなく、同無線端末への着呼を再開することができると共に、所定時間経過後の不要な着呼保持に要する交換装置側の負担を大幅に軽減することができる。
【００２６】
また、本願請求項６記載の電話交換システムは、本願請求項１，２，３又は４記載の構成において、前記発信端末は、終話操作に応じて終話信号を前記交換装置に対して送信する終話信号送信手段を有し、前記着呼保持手段は、前記圏外通知手段を通じて前記発信端末に対する前記圏外ガイダンスの通知開始から、同発信端末から前記終話信号を受信するまで、前記無線端末への着呼を保持するようにした。
【００２７】
従って、本願請求項６記載の電話交換システムによれば、本願請求項１，２，３又は４記載の効果に加えて、前記発信端末に対する前記圏外ガイダンスの通知開始から、同発信端末からの終話信号を受信するまで、前記無線端末への着呼を保持するようにしたので、発信端末側のユーザは、圏外ガイダンス通知開始後、自発的な終話操作に応じて不要な着呼保持に要する交換装置側の処理負担を大幅に軽減することができる。
【００２８】
また、本願請求項７記載のＩＰネットワークシステムは、無線端末を無線収容する無線基地局と、この無線基地局をＩＰネットワークに接続して、前記無線端末の位置情報を、同無線端末を無線収容する前記無線基地局のＩＰアドレスで管理する制御装置とを有し、前記無線端末に対して発信端末から発呼するに際し、前記発信端末は、前記無線端末を無線収容する前記無線基地局のＩＰアドレスに基づき、前記無線端末への着呼を指示すべく、同無線基地局に対して発呼要求を送信するＩＰネットワークシステムであって、前記制御装置は、前記無線基地局を通じて前記発信端末から前記無線端末への着呼中に、前記無線基地局を通じて同無線端末への着呼に対する同無線端末の応答が所定期間内にない場合、同無線端末への着呼を保持する着呼保持手段と、この着呼保持手段にて同無線端末への着呼を保持中に、同無線端末から前記無線基地局を通じて位置登録要求を受信すると、前記発信端末に対して、前記無線端末への再発呼を要求する再発呼要求を送信する再発呼要求手段とを有し、前記発信端末は、前記再発呼要求手段からの前記再発呼要求を受信すると、同無線端末への着呼を指示する前記発呼要求を、同無線端末を無線収容する前記無線基地局に対して送信するようにした。
【００２９】
従って、本願請求項７記載のＩＰネットワークシステムによれば、前記発信端末から前記無線端末への着呼中に、前記無線基地局を通じて同無線端末への着呼に対する同無線端末の応答が所定期間内にない場合、同無線端末への着呼を保持すると共に、同無線端末への着呼を保持中に、同無線端末から前記無線基地局を通じて位置登録要求を受信すると、前記発信端末に対して、前記無線端末への再発呼を要求する再発呼要求を送信し、前記発信端末側は、前記再発呼要求を受信すると、同無線端末への着呼を指示する前記発呼要求を、同無線端末を無線収容する前記無線基地局に対して送信するようにしたので、例えばＩＰネットワークシステム内の発信端末から無線端末への着呼に対する同無線端末の応答が所定期間内になくても、同無線端末への着呼を保持中に、例えば同無線端末が圏内復帰した、すなわち同無線端末からの位置登録要求を受信した場合、新たな発呼操作を要することなく、無線端末への着呼を再開することができる。
【００３０】
また、本願請求項８記載のＩＰネットワークシステムは、本願請求項７記載の構成において、前記着呼保持手段は、前記無線端末への着呼を保持すべく、同無線端末の電話番号及び、同無線端末へ着呼中の前記発信端末の電話番号を対応付けて管理する電話番号管理手段を有し、前記再発呼要求手段は、前記無線端末への着呼を保持中に、同無線端末から前記無線基地局を通じて位置登録要求を受信すると、この位置登録要求に含まれる同無線端末の電話番号に対応した同発信端末の電話番号が前記電話番号管理手段内にあるか否かを判定し、同無線端末の電話番号に対応した同発信端末の電話番号がある場合、前記発信端末に対して、同無線端末への再発呼を要求する前記再発呼要求を送信するようにした。
【００３１】
従って、本願請求項８記載のＩＰネットワークシステムによれば、本願請求項７記載の効果に加えて、前記無線端末への着呼を保持中に、同無線端末から前記無線基地局を通じて位置登録要求を受信し、この位置登録要求に含まれる同無線端末の電話番号に対応した同発信端末の電話番号が前記電話番号管理手段内にある場合、前記発信端末に対して、同無線端末への再発呼を要求する前記再発呼要求を送信するようにしたので、発信端末から無線端末への着呼に対する同無線端末の応答が所定期間内になくても、同無線端末への着呼を保持中に、例えば同無線端末が圏内復帰した、すなわち同無線端末からの位置登録要求を受信した場合、新たな発呼操作を要することなく、無線端末への着呼を再開することができる。
【００３２】
また、本願請求項９記載のＩＰネットワークシステムは、本願請求項７又は８記載の構成において、前記無線基地局を通じて同無線端末への着呼に対する同無線端末の応答が所定期間内にない場合、前記発信端末に対して圏外通知を通知する圏外通知手段を有し、前記発信端末は、前記圏外通知手段から前記圏外通知を受信すると、前記無線端末の無線圏外を報知するメッセージ又は報知音を出力するようにした。
【００３３】
従って、本願請求項９記載のＩＰネットワークシステムによれば、本願請求項７又は８記載の効果に加えて、前記無線基地局を通じて同無線端末への着呼に対する同無線端末の応答が所定期間内にない場合、前記発信端末に対して圏外通知を通知し、前記発信端末は、前記圏外通知を受信すると、前記無線端末の無線圏外を報知するメッセージ又は報知音を出力するようにしたので、発信端末側のユーザは、無線圏外を報知するメッセージ又は報知音に応じて、発呼先の無線端末の無線圏外を認識することができる。
【００３４】
また、本願請求項１０記載のＩＰネットワークシステムは、本願請求項７，８又は９記載の構成において、前記発信端末は、前記再発呼要求手段から前記再発呼要求を受信すると、前記無線端末への再接続を示すメッセージ又は報知音を出力するようにした。
【００３５】
従って、本願請求項１０記載のＩＰネットワークシステムによれば、本願請求項７，８又は９記載の効果に加えて、前記発信端末は、前記再発呼要求を受信すると、前記無線端末への再接続を示すメッセージ又は報知音を出力するようにしたので、発信端末側のユーザは、無線端末への再接続を示すメッセージ又は報知音に応じて、発呼先の無線端末との再接続を認識することができる。
【００３６】
また、本願請求項１１記載のＩＰネットワークシステムは、本願請求項７，８，９又は１０記載の構成に加えて、前記着呼保持手段は、前記無線基地局を通じて同無線端末への着呼に対する同無線端末の応答が所定期間内にないと判定されてから所定時間を経過するまで、同無線端末への着呼を保持するようにした。
【００３７】
従って、本願請求項１１記載のＩＰネットワークシステムによれば、本願請求項７，８，９又は１０記載の効果に加えて、前記無線基地局を通じて同無線端末への着呼に対する同無線端末の応答が所定期間内にないと判定されてから所定時間を経過するまで、同無線端末への着呼を保持するようにしたので、発信端末側のユーザは、無線端末への着呼に対する同無線端末の応答が所定期間内になくても、その後、例えば着呼保持タイマの所定時間を経過するまでに位置登録要求を受信した場合、新たな発呼操作を要することなく、同無線端末への着呼を再開することができると共に、所定時間経過後の不要な着呼保持に要する制御装置側の負担を大幅に軽減することができる。
【００３８】
また、本願請求項１２記載のＩＰネットワークシステムは、本願請求項７、８，９，１０又は１１記載の構成において、前記制御装置は、Ｈ．３２３プロトコルで通信を実行するゲートキーパ装置であるようにした。
【００３９】
従って、本願請求項１２記載のＩＰネットワークシステムによれば、本願請求項７，８，９，１０又は１１記載の効果に加えて、前記制御装置を、Ｈ．３２３プロトコルで通信を実行するゲートキーパ装置にしたので、Ｈ．３２３プロトコルの通信システムにも適用可能である。
【００４０】
また、本願請求項１３記載のＩＰネットワークシステムは、本願請求項７，８，９，１０又は１１記載の構成において、前記制御装置は、ＳＩＰプロトコルで通信を実行するＳＩＰプロキシサーバであるようにした。
【００４１】
従って、本願請求項１３記載のＩＰネットワークシステムによれば、本願請求項７，８，９，１０又は１１記載の効果に加えて、前記制御装置を、ＳＩＰプロトコルで通信を実行するＳＩＰプロキシサーバにしたので、ＳＩＰプロトコルの通信システムにも適用可能である。
【００４２】
（実施の形態１）
以下、図面に基づいて本発明の第１の実施の形態を示す電話交換システムについて説明する。図１は第１の実施の形態を示す電話交換システム内部の概略構成を示すブロック図である。
【００４３】
図１に示す電話交換システム１は、無線端末２を無線収容する複数台の無線基地局３と、これら複数台の無線基地局３、発信端末４及び公衆網５を収容接続する交換装置６とを有し、交換装置６は、例えば発信端末４から無線端末２への発呼信号を受信すると、同無線端末２への着呼を指示する着呼信号を、同無線端末２を無線収容する無線基地局３に送信すると共に、無線基地局３は、着呼信号を受信すると、同無線端末２への着呼を開始するものである。
【００４４】
図２は同交換装置６内部の概略構成を示すブロック図である。
【００４５】
図２に示す交換装置６は、無線基地局３、発信端末４及び公衆網５との通信制御を司る通信制御部１１と、この通信制御部１１を通じて、様々な音声ガイダンスを通知するガイダンス通知部１２と、この交換装置６全体を制御する制御部１３とを有している。
【００４６】
通信制御部１１は、例えば発信端末４から無線端末２への発呼信号を受信すると、同無線端末２の位置情報に基づき、同無線端末２を無線収容する無線基地局３に対して着呼信号（ＳＥＴＵＰ）を送信すると共に、同無線基地局３からの着呼信号（ＳＥＴＵＰ）に対する着呼受付信号（ＣＡＬＬＰＲＯＣ）を受信するものである。尚、無線基地局３は、交換装置６から同無線端末２への着呼信号（ＳＥＴＵＰ）を受信すると、同無線端末２への着呼を開始するものである。
【００４７】
また、通信制御部１１は、無線端末２を無線収容する無線基地局３から同無線端末２の圏内復帰や電源投入等による位置登録要求（ＲＥＧＩＳＴＥＲ）を受信すると、同無線端末２の位置情報として、同無線端末２を無線収容する無線基地局３の内線番号を登録管理するものである。
【００４８】
制御部１３は、通信制御部１１を通じて、無線端末２を無線収容する無線基地局３からの位置登録要求（ＲＥＧＩＳＴＥＲ）を監視する位置登録要求監視部２１と、通信制御部１１を通じて、無線端末２への着呼中に、同無線端末２への着呼に対する同無線端末２の応答、例えば呼出中信号（ＡＬＥＲＴ）を監視する着呼応答監視部２２と、この着呼応答監視部２２を通じて呼出中信号（ＡＬＥＲＴ）が所定期間内、すなわち圏外判定タイマ２３の計時中に受信できたか否か、すなわち無線端末２が圏外であるか否かを判定する圏外判定部２４と、この圏外判定部２４にて同無線端末２が圏外であると判定されると、同無線端末２への着呼を保持する着呼保持制御部２５と、無線端末２への着呼を保持すべく、同着呼保持に関わる無線端末２及び発信端末４の内線番号を管理する内線番号管理部２６と、無線端末２への着呼保持中に、位置登録要求監視部２１を通じて同無線端末２の位置登録要求（ＲＥＧＩＳＴＥＲ）を受信すると、この位置登録要求に含まれる同無線端末２の内線番号に対応する同発信端末４の内線番号を内線番号管理部２６内から検索する着呼保持検索部２７と、この着呼保持検索部２７の検索結果に基づき、同無線端末２の内線番号に対応した同発信端末４の内線番号が内線番号管理部２６内にある場合、位置登録要求の無線端末２、すなわち圏内復帰した無線端末２への再着呼を指示する着呼信号（ＳＥＴＵＰ）を、通信制御部１１を通じて、同無線端末２を無線収容する無線基地局３に送信する再着呼部２８とを有している。
【００４９】
着呼応答監視部２２は、通信制御部１１を通じて、無線端末２への着呼中に、同無線端末２から同着呼に対する同無線端末２の応答、例えば呼出中信号（ＡＬＥＲＴ）を監視するものである。
【００５０】
圏外判定部２４は、通信制御部１１を通じて、無線基地局３への着呼信号（ＳＥＴＵＰ）に対する着呼受付信号（ＣＡＬＬＰＲＯＣ）を受信すると、圏外判定タイマ２３の計時動作を開始し、圏外判定タイマ２３の計時中に、無線端末２への着呼に対する同無線端末２の応答、例えば呼出中信号（ＡＬＥＲＴ）を受信したか否かを判定し、圏外判定タイマ２３の計時中に呼出中信号（ＡＬＥＲＴ）を受信した場合、無線端末２が圏内であると判断し、圏外判定タイマ２３の計時中に呼出中信号（ＡＬＥＲＴ）を受信できなかった場合、同無線端末２が圏外であると判断するものである。
【００５１】
着呼保持制御部２５は、圏外判定部２４にて同無線端末２が圏外であると判定されると、同無線端末２の内線番号及び、同無線端末２へ発呼中の発信端末４の内線番号を対応付けて内線番号管理部２６に格納して、同無線端末２への着呼を保持するものである。
【００５２】
また、着呼保持制御部２５は、同無線端末２への着呼を保持すると、同無線端末２が圏外である旨を発信端末４側に報知すべく、ガイダンス通知部１２を通じて圏外ガイダンスを発信端末４に通知すると共に、圏外ガイダンス通知開始から圏外ガイダンスタイマ２９の計時動作を開始し、圏外ガイダンスタイマ２９がタイムアップすると、ガイダンス通知部１２を通じて圏外ガイダンスの通知動作を停止し、内線番号管理部２６に格納中の同無線端末２の内線番号に対応する発信端末４の内線番号を消去して、同無線端末２への着呼保持を解除するものである。
【００５３】
また、着呼保持制御部２５は、圏外ガイダンス通知開始から圏外ガイダンスタイマ２９の計時中に、位置登録要求監視部２１を通じて、同無線端末２を無線収容する無線基地局３から圏内復帰した無線端末２の位置登録要求（ＲＥＧＩＳＴＥＲ）を受信すると、この位置登録要求（ＲＥＧＩＳＴＥＲ）に含まれる無線端末２の内線番号を取得するものである。
【００５４】
また、着呼保持制御部２５は、同位置登録要求（ＲＥＧＩＳＴＥＲ）に含まれる無線端末２の内線番号を取得すると、着呼保持検索部２７を通じて、同無線端末２の内線番号に対応した発信端末４の内線番号を内線番号管理部１６から検索し、その検索結果に基づき、同無線端末２の内線番号に対応した発信端末４の内線番号が内線番号管理部２６内にあるか否かを判定するものである。
【００５５】
再着呼部２８は、着呼保持検索部２７の検索結果に基づき、同無線端末２の内線番号に対応した発信端末４の内線番号が内線番号管理部２６内にある場合、同無線端末２への着呼が保持中であると判断し、同無線端末２への再着呼を指示する着呼信号（ＳＥＴＵＰ）を、通信制御部１１を通じて、同無線端末１１を無線収容する無線基地局３に送信するものである。この結果、無線基地局３は、着呼信号（ＳＥＴＵＰ）に応じて、圏内復帰した無線端末２への着呼を再開するものである。
【００５６】
また、着呼保持制御部２５は、着呼保持検索部２７の検索結果に基づき、同無線端末２の内線番号に対応した発信端末４の内線番号が内線番号管理部２６内にある場合、ガイダンス通知部１２を通じて、発信端末４に対して、無線端末２への再接続を示す再接続ガイダンスを通知するものである。
【００５７】
また、着呼保持制御部２５は、圏外ガイダンス通知開始から圏外ガイダンスタイマ２９の計時動作を開始し、圏外ガイダンスタイマ２９がタイムアップしなくても、発信端末４からの終話操作に応じた終話信号を受信すると、圏外ガイダンスの通知動作を停止し、内線番号管理部２６に格納中の同無線端末２の内線番号に対応する発信端末４の内線番号を消去して同無線端末２への着呼保持を解除するものである。
【００５８】
また、無線基地局３は、交換装置６側の通信制御部１１を通じて着呼信号（ＳＥＴＵＰ）を受信すると、同無線端末２への着呼を開始し、同着呼に対する着呼応答、着呼受付信号（ＣＡＬＬＰＲＯＣ）及び呼出中信号（ＡＬＥＲＴ）を受信した後、無線端末２側の応答操作に応じた接続要求信号（ＣＯＮＮＥＣＴ）を受信すると、この接続要求信号（ＣＯＮＮＥＣＴ）を交換装置６に送信するものである。
【００５９】
交換装置６側の通信制御部１１は、接続要求信号（ＣＯＮＮＥＣＴ）を受信すると、応答信号を発信端末４に送信することで、無線端末２及び発信端末４間は無線基地局３経由で通話を確立するものである。
【００６０】
尚、請求項１乃至６記載の電話交換システムは電話交換システム１、無線端末は無線端末２、無線基地局は無線基地局３、発信端末は発信端末４及び公衆網５に接続する通信端末、交換装置は交換装置６、着呼保持手段は圏外判定部２４、着呼保持制御部２５及び圏外ガイダンスタイマ２９、再着呼手段は位置登録要求監視部２１、着呼保持検索部２７及び再着呼部２８、電話番号管理手段は内線番号管理部２６、圏外通知手段及び再接続通知手段はガイダンス通知部１２、終話信号送信手段は発信端末４に相当するものである。
【００６１】
次に第１の実施の形態を示す電話交換システム１の動作について説明する。図３及び図４は第１の実施の形態における圏内復帰再着呼処理に関わる電話交換システム１全体の処理動作を示す動作シーケンス図である。尚、説明の便宜上、内線番号１０００番の無線端末２の現在位置情報が移動元の無線基地局３Ａの内線番号で、同無線端末２に対して内線番号２０００番の発信端末４が発信する場合を想定する。
【００６２】
図３に示す圏内復帰再着呼処理は、発信端末４から圏外の無線端末２へ発呼したとしても、同無線端末２への着呼を保持し、同無線端末２への着呼保持中、例えば発信端末４に対する圏外ガイダンス通知中に、無線端末２が圏内復帰すると、圏内復帰した無線端末２への着呼を再度開始する処理である。
【００６３】
図３に示す発信端末４は、無線端末２への発信操作を検出すると（ステップＳ１１）、同無線端末２の内線番号を含む発呼信号を交換装置６に送信する（ステップＳ１２）。
【００６４】
交換装置６は、発呼信号を受信すると、同発呼信号に含まれる同無線端末２の内線番号に対応する現在位置情報に基づき、同無線端末２を無線収容する移動元の無線基地局３Ａに対して着呼信号（ＳＥＴＵＰ）を送信する（ステップＳ１３）。
【００６５】
移動元の無線基地局３Ａは、着呼信号（ＳＥＴＵＰ）を受信すると、同無線端末２への着呼を開始すると共に（ステップＳ１４）、着呼信号（ＳＥＴＵＰ）を受け付けたことを示す着呼受付信号（ＣＡＬＬＰＲＯＣ）を交換装置６に送信する（ステップＳ１５）。
【００６６】
交換装置６は、通信制御部１１を通じて、移動元の無線基地局３Ａからの着呼受付信号（ＣＡＬＬＰＲＯＣ）を受信すると、圏外判定部２４を通じて、圏外判定タイマ２３の計時動作を開始し（ステップＳ１６）、計時中の圏外判定タイマ２３がタイムアップすると（ステップＳ１７）、同無線端末２が圏外であると判断し、無線端末２への着呼を停止すべく、解放信号（ＲＥＬＣＯＭＰ）を移動元の無線基地局３Ａに送信する（ステップＳ１８）。尚、移動元の無線基地局３Ａは、解放信号（ＲＥＬＣＯＭＰ）を受信すると、同無線端末２への着呼を停止する。
【００６７】
交換装置６は、圏外判定部２４を通じて無線端末２が圏外と判断されると、着呼保持制御部２５を通じて、同無線端末２の内線番号“１０００”に対応付けて同無線端末２へ発呼中の発信端末４の内線番号“２０００”を内線番号管理部２６に格納することで同無線端末２への着呼を保持し（ステップＳ１９）、ガイダンス通知部１２を通じて、同無線端末２が圏外である旨を示す圏外ガイダンスを発信端末４に通知する（ステップＳ２０）。尚、発信端末４側のユーザは、図示せぬハンドセットを通じて圏外ガイダンスを受聴することで、発呼先の無線端末２が圏外であることを認識できるものである。
【００６８】
さらに、交換装置６は、発信端末４への圏外ガイダンス通知を開始すると、着呼保持制御部２５を通じて、圏外ガイダンスタイマ２９の計時動作を開始する（ステップＳ２１）。尚、ガイダンス通知部１２は、例えば圏外ガイダンスタイマ２９がタイムアップするまで圏外ガイダンスを発信端末４に対して継続報知するものである。
【００６９】
この圏外ガイダンスタイマ２９の計時中に圏外の無線端末２が移動先の無線基地局３Ｂに移動した場合、移動先の無線基地局３Ｂは、同無線端末２から位置登録要求を受信し（ステップＳ２２）、この位置登録要求を受信すると、同無線端末２の位置登録要求（ＲＥＧＩＳＴＥＲ）を交換装置６に送信することになる（ステップＳ２３）。
【００７０】
交換装置６は、通信制御部１１を通じて、位置登録要求（ＲＥＧＩＳＴＥＲ）を受信すると、同位置登録要求（ＲＥＧＩＳＴＥＲ）に含まれる内線番号に応じて同無線端末２の位置情報を更新すると共に、この位置登録要求（ＲＥＧＩＳＴＥＲ）を受け付けた要求受付信号（ＣＡＬＬＰＲＯＣ）を移動先の無線基地局３Ｂに送信した後（ステップＳ２４）、同無線端末２の位置登録を完了したことを示す位置登録完了信号（ＲＥＬＣＯＭＰ）を移動先の無線基地局３Ｂに送信する（ステップＳ２５）。その結果、交換装置６は、圏内復帰した内線番号“１０００”の無線端末２の位置情報として、移動元の無線基地局３Ａから移動先の無線基地局３Ｂに登録更新したことになる。
【００７１】
移動先の無線基地局３Ｂは、位置登録完了信号（ＲＥＬＣＯＭＰ）を受信すると、位置登録許可を同無線端末２に送信する（ステップＳ２６）。
【００７２】
交換装置６は、位置登録要求監視部２１を通じて、ステップＳ２３にて圏外ガイダンスタイマ２９の計時中に無線端末２の位置登録要求（ＲＥＧＩＳＴＥＲ）を受信すると、着呼保持検索部２７を通じて、この位置登録要求（ＲＥＧＩＳＴＥＲ）に含まれる無線端末２の内線番号に対応する発信端末４の内線番号を内線番号管理部２６から検索する（ステップＳ２７）。
【００７３】
交換装置６は、着呼保持検索部２７の検索結果に基づき、同無線端末２の内線番号に対応する発信端末４の内線番号が内線番号管理部２６内にある場合（ステップＳ２８）、ガイダンス通知部１２を通じて再接続ガイダンスを、同無線端末２の内線番号に対応した発信端末４に対して、再接続ガイダンスを送信する（ステップＳ２９）。尚、発信端末４側のユーザは、ハンドセットを通じて再接続ガイダンスを受聴することで、圏内復帰した発呼先の無線端末２への再接続を認識することができる。
【００７４】
さらに、交換装置６は、ステップＳ２８にて位置登録要求に関わる無線端末２の内線番号に対応した発信端末４の内線番号が内線番号管理部２６内にある場合、同無線端末２への着呼が保持中であると判断し、再着呼部２８を通じて、同着呼保持中の無線端末２への着呼を再開すべく、再着呼処理を開始する（ステップ３０）。
【００７５】
図４に示す交換装置６は、ステップＳ３０にて再着呼部２８を通じて再着呼処理を開始すると、同無線端末２の再着呼を指示すべく、同無線端末２の位置情報、すなわち移動先の無線基地局３Ｂに対して、着呼信号（ＳＥＴＵＰ）を送信する（ステップＳ３１）。
【００７６】
移動先の無線基地局３Ｂは、着呼信号（ＳＥＴＵＰ）を受信すると、同無線端末２への着呼を開始すると共に（ステップＳ３２）、同着呼信号（ＳＥＴＵＰ）を受け付けたことを示す着呼受付信号（ＣＡＬＬＰＲＯＣ）を交換装置６に送信する（ステップＳ３３）。
【００７７】
交換装置６は、着呼受付信号（ＣＡＬＬＰＲＯＣ）を受信すると、着呼保持制御部２５を通じて、同無線端末２の内線番号“１０００”に対応する発信端末４の内線番号“２０００”を内線番号管理部２６から消去することで同無線端末２への着呼保持を解除する（ステップＳ３４）。
【００７８】
さらに、移動先の無線基地局３Ｂは、無線端末２への着呼に対する着呼応答を受信すると（ステップＳ３５）、呼設定要求信号（ＳＥＴＵＰ）を無線端末２に送信する（ステップＳ３６）。
【００７９】
無線端末２は、呼設定要求信号（ＳＥＴＵＰ）を受信すると、この呼設定要求信号（ＳＥＴＵＰ）を受け付けたことを示す呼設定受付信号（ＣＡＬＬＰＲＯＣ）を移動先の無線基地局３Ｂに送信すると共に（ステップＳ３７）、呼出中信号（ＡＬＥＲＴ）を移動先の無線基地局３Ｂに送信し（ステップＳ３８）、呼出音を鳴動出力する（ステップＳ３９）。尚、無線端末２側のユーザは、呼出音の鳴動出力に応じて同無線端末２への着呼を認識することができる。
【００８０】
移動先の無線基地局３Ｂは、ステップＳ３８にて無線端末２からの呼出中信号（ＡＬＥＲＴ）を受信すると、同呼出中信号（ＡＬＥＲＴ）を交換装置６に送信する（ステップＳ４０）。
【００８１】
交換装置６は、通信制御部１１を通じて呼出中信号（ＡＬＥＲＴ）を受信すると、リングバックトーン（ＲＢＴ）を発信端末４に送信する（ステップＳ４１）。尚、発信端末４側のユーザは、ハンドセットを通じてＲＢＴを受聴することで、圏内復帰した無線端末２への呼出中を認識することができる。
【００８２】
さらに、無線端末２は、呼出音の鳴動出力中に、応答操作を検出すると（ステップＳ４２）、接続要求信号（ＣＯＮＮＥＣＴ）を移動先の無線基地局３Ｂに送信する（ステップＳ４３）。
【００８３】
移動先の無線基地局３Ｂは、接続要求信号（ＣＯＮＮＥＣＴ）を受信すると、この接続要求信号（ＣＮＮＥＣＴ）を交換装置６に送信する（ステップＳ４４）。
【００８４】
交換装置６は、通信制御部１１を通じて、接続要求信号（ＣＯＮＮＥＣＴ）を受信すると、応答信号を発信端末４に送信する（ステップＳ４５）。その結果、無線端末２及び発信端末４は、交換装置６及び移動先の無線基地局３Ｂを通じて通話を確立することになる（ステップＳ４６）。
【００８５】
図３及び図４に示す圏内復帰再着呼処理によれば、発信端末４から無線端末２への着呼中に、同無線端末２への着呼に対する同無線端末２の応答、例えば呼出中信号（ＡＬＥＲＴ）が圏外判定タイマ２３の計時中に受信できなかった場合、同無線端末２が圏外と判断し、同無線端末２への着呼を保持して同発信端末４に対して圏外ガイダンスを通知すると共に、同無線端末２への着呼保持中、例えば圏外ガイダンス通知中に、同無線端末２から移動先の無線基地局３Ｂを通じて位置登録要求を受信すると、同無線端末２が圏内復帰したものと判断し、同無線端末２を無線収容する移動先の無線基地局３Ｂに対して、同無線端末２への再着呼を指示する着呼信号（ＳＥＴＵＰ）を送信するようにしたので、電話交換システム１内の発信端末４から圏外の無線端末２に対して発呼したとしても、同無線端末２への着呼保持中、例えば圏外ガイダンス通知中に、同無線端末２が圏内復帰した場合、新たな発呼操作を要することなく、無線端末２への着呼を再開することができる。
【００８６】
また、図３及び図４の圏内復帰再着呼処理においては、無線端末２への着呼保持中、例えば発信端末４への圏外ガイダンス通知中に同無線端末２の圏内復帰、すなわち無線端末２の位置登録要求を受信した場合を例に挙げて説明したが、発信端末４への圏外ガイダンス通知中に同無線端末２の圏内復帰、すなわち無線端末２の位置登録要求を受信できなかった場合も考えられる。
【００８７】
そこで、発信端末４への圏外ガイダンス通知中に同無線端末２の圏内復帰、すなわち無線端末２への位置登録要求を受信できなかった場合の電話交換システム１全体の処理動作について説明する。図５は圏内復帰再着呼処理に関わる圏内未復帰時の電話交換システム１全体の処理動作を示す動作シーケンス図である。尚、図３に示す圏内復帰再着呼処理と同一の処理ステップについては同一符号を付すことで、その重複する処理ステップの説明については省略する。
【００８８】
図５に示す交換装置６は、ステップＳ１１からステップＳ２０までの処理動作を経て、ステップＳ２１にて圏外ガイダンスタイマ２９の計時動作を開始し、この圏外ガイダンスタイマ２９の計時中に無線端末２の位置登録要求（ＲＥＧＩＳＴＥＲ）を受信することなく、この圏外ガイダンスタイマ２９がタイムアップした場合（ステップＳ５１）、ステップＳ１９にて内線番号管理部２６に格納した同無線端末２の内線番号に対応する発信端末４の内線番号を消去することで同無線端末２への着呼保持を解除し（ステップＳ５２）、ガイダンス通知部１２を通じて圏外ガイダンスを通知中の発信端末４に対してビジー音（ＢＴ）又は規制音（ＲＯＴ：Ｒｅｏｄｅｒ  Ｔｏｎｅ）を送信することで（ステップＳ５３）、この処理動作を終了する。その結果、発信端末４側のユーザは、ハンドセットを通じてビジー音（ＢＴ）又は規制音（ＲＯＴ）を受聴することで、発呼先の無線端末２との通話ができないことを認識することができる。
【００８９】
図５に示す圏内復帰再着呼処理によれば、無線端末２への着呼に対する同無線端末２の応答、例えば呼出中信号（ＡＬＥＲＴ）が圏外判定タイマ２３の計時中に受信できなかった場合、すなわち、同無線端末２が圏外と判断された場合、圏外ガイダンスタイマ２９がタイムアップするまで、同無線端末２への着呼を保持するようにしたので、発信端末４側のユーザは、無線端末２への着呼に対する同無線端末２の応答、例えば呼出中信号（ＡＬＥＲＴ）が圏外判定タイマ２３の計時中に受信できなくても、その後、圏外ガイダンスタイマ２９がタイムアップするまでに同無線端末２が圏内復帰した場合、新たな発呼操作を要することなく、同無線端末２への着呼を再開することができると共に、圏外ガイダンスタイマ２９のタイムアップ後の不要な着呼保持に要する交換装置６側の負担を大幅に軽減することができる。
【００９０】
尚、図５に示す圏内復帰再着呼処理においては、圏外ガイダンスタイマ２９がタイムアップするまで同無線端末２への着呼を保持するようにしたが、図６に示す処理動作を実行するようにしても良く、この場合の処理動作につき説明する。
【００９１】
図６は圏内復帰再着呼処理に関わる圏内未復帰時の電話交換システム１全体の処理動作を示す動作シーケンス図である。
【００９２】
図６において発信端末４は、ステップＳ１１からステップＳ２１までの処理動作を経て、圏外ガイダンスタイマ２９のタイムアップを待つまでもなく、ステップＳ２０にて圏外ガイダンスの受信中に、終話操作を検出すると（ステップＳ５４）、終話信号を交換装置６に送信する（ステップＳ５５）。
【００９３】
交換装置６は、ステップＳ５５にて終話信号を受信すると、ステップＳ１９にて内線番号管理部２６に格納した同無線端末２の内線番号に対応する発信端末４の内線番号を消去することで同無線端末２への着呼保持を解除して（ステップＳ５６）、この処理動作を終了する。
【００９４】
図６に示す圏内復帰着呼処理によれば、発信端末４に対する圏外ガイダンスの通知開始から、同発信端末４からの終話信号を受信するまで、無線端末２への着呼を保持するようにしたので、発信端末４側のユーザは、圏外ガイダンス通知開始後、圏外ガイダンスタイマ２９のタイプアップを待たなくても、自発的な終話操作に応じて不要な着呼保持に要する交換装置６側の処理負担を軽減することができる。
【００９５】
第１の実施の形態によれば、発信端末４から無線端末２への着呼中に、同無線端末２への着呼に対する同無線端末２の応答が所定期間内にない場合、同無線端末２を圏外と判断して、同無線端末２への着呼を保持すると共に、同無線端末２への着呼保持中に、同無線端末２から無線基地局３を通じて位置登録要求を受信すると、この無線基地局３に対して、同無線端末２への再着呼を指示する着呼信号（ＳＥＴＵＰ）を送信するようにしたので、電話交換システム１内の発信端末４から無線端末２への着呼に対する同無線端末２の応答が所定期間内になくても、同無線端末２への着呼保持中に、例えば同無線端末２が圏内復帰した、すなわち同無線端末２からの位置登録要求を受信した場合、新たな発呼操作を要することなく、無線端末２への着呼を再開することができる。
【００９６】
また、第１の実施の形態によれば、無線端末２への着呼保持中に、同無線端末２から無線基地局３を通じて位置登録要求を受信すると、この位置登録要求に含まれる同無線端末２の内線番号に対応する発信端末４の内線番号が内線番号管理部２６内にある場合、同無線端末２への再着呼を指示する着呼信号（ＳＥＴＵＰ）を、同無線端末２を無線収容する無線基地局３に送信するようにしたので、発信端末４から無線端末２への着呼に対する同無線端末２の応答が所定期間内になくても、同無線端末２への着呼保持中に、例えば同無線端末２が圏内復帰、すなわち同無線端末２からの位置登録要求を受信した場合、新たな発呼操作を要することなく、無線端末２への着呼を再開することができる。
【００９７】
また、第１の実施の形態によれば、無線端末２への着呼に対する同無線端末２の応答が所定期間内にない場合、発信端末４に対して、無線端末２の無線圏外を示す圏外ガイダンスを通知するようにしたので、発信端末４側のユーザは、圏外ガイダンスに応じて発呼先の無線端末２が圏外であることを認識することができる。
【００９８】
また、第１の実施の形態によれば、無線端末２への着呼保持中に、同無線端末２から無線基地局３を通じて位置登録要求を受信すると、発信端末４に対して無線端末２への再接続を示す再接続ガイダンスを通知するようにしたので、発信端末４側のユーザは、再接続ガイダンスに応じて発呼先の無線端末２との再接続を認識することができる。
【００９９】
また、第１の実施の形態によれば、無線端末２への着呼に対する同無線端末２の応答が所定期間内にないと判定されてから、圏外ガイダンスタイマ２９がタイムアップするまで、同無線端末２への着呼を保持するようにしたので、発信端末４側のユーザは、無線端末２への着呼に対する同無線端末２の応答が所定期間内になくても、その後、圏外ガイダンスタイマ２９がタイムアップするまでに位置登録要求を受信した場合、新たな発呼操作を要することなく、同無線端末２への着呼を再開することができると共に、圏外ガイダンスタイマ２９のタイムアップ後の不要な着呼保持に要する交換装置６側の負担を大幅に軽減することができる。
【０１００】
また、第１の実施の形態によれば、発信端末４に対する圏外ガイダンスの通知開始から、同発信端末４からの終話信号を受信するまで、無線端末２への着呼を保持するようにしたので、発信端末４側のユーザは、圏外ガイダンス通知開始後、自発的な終話操作に応じて不要な着呼保持に要する交換装置６側の処理負担を大幅に軽減することができる。
【０１０１】
尚、上記第１の実施の形態においては、発信端末４から無線端末２への発呼を例に挙げて説明したが、公衆網５内の通信端末から無線端末２への発呼に際しても同様の効果が得られることは言うまでもない。
【０１０２】
また、上記第１の実施の形態においては、無線基地局３及び発信端末４を収容接続する交換装置６で構成する電話交換システム１を例に挙げて説明したが、Ｈ．３２３プロトコル通信に対応したＩＰネットワークシステムについても同様の効果を得ることができるため、その実施の形態につき、第２の実施の形態として説明する。
【０１０３】
（実施の形態２）
図７は第２の実施の形態を示すＩＰネットワークシステム内部の概略構成を示すブロック図である。
【０１０４】
図７に示すＩＰネットワークシステム１００は、無線端末１０１を無線収容するＩＰ基地局１０２と、無線端末１０１を無線収容する無線基地局１０３を収容接続する基地局ゲートウェイ１０４と、例えばＩＰ電話機等の発信端末１０５と、ＩＰ基地局１０２、基地局ゲートウェイ１０４及び発信端末１０５をＩＰネットワーク１０７に接続し、ＩＰ基地局１０２、基地局ゲートウェイ１０４及び発信端末１０５をＩＰアドレスで管理すると共に、無線端末１０１の位置情報を、同無線端末１０１を無線収容するＩＰ基地局１０２又は基地局ゲートウェイ１０４のＩＰアドレスで登録管理するゲートキーパ装置１０６とを有している。
【０１０５】
尚、ＩＰ基地局１０２、基地局ゲートウェイ１０４、発信端末１０５及びゲートキーパ装置１０６は、Ｈ．３２３プロトコル通信対応の機器である。
【０１０６】
無線基地局１０３は、自己の無線ゾーン内の無線端末１０１を無線収容する、例えばデジタル無線基地局やアナログ無線基地局に相当し、ＩＰネットワーク１０７との通信インタフェースを備えていない無線基地局に相当するものである。
【０１０７】
ＩＰ基地局１０２は、自己の呼出ゾーン内の無線端末１０１を無線収容し、ＩＰネットワーク１０７との通信インタフェースを備えたものである。
【０１０８】
基地局ゲートウェイ１０４は、複数台の無線基地局１０３を収容し、各無線基地局１０３の呼出ゾーン内の無線端末１０１を無線収容し、無線基地局１０３及びＩＰネットワーク１０７間の通信インタフェースを備えたものである。
【０１０９】
ゲートキーパ装置１０６は、ＩＰネットワーク１０７を通じて基地局ゲートウェイ１０４及びＩＰ基地局１０２と接続し、例えば無線端末１０１がＩＰ基地局１０２の呼出ゾーン内に無線収容される場合、同無線端末１０１の位置情報を、同ＩＰ基地局１０２のＩＰアドレスで管理すると共に、例えば無線端末１０１が無線基地局１０３の呼出ゾーン内に無線収容される場合、同無線端末１０１の位置情報を、同無線基地局１０３を収容する基地局ゲートウェイ１０４のＩＰアドレスで管理するものである。
【０１１０】
図８は同ゲートキーパ装置１０６内部の概略構成を示すブロック図である。
【０１１１】
図８に示すゲートキーパ装置１０６は、ＩＰネットワーク１０７とのＨ．３２３プロトコルの通信制御を司るゲートキーパ通信制御部１１１と、このゲートキーパ装置１０６全体を制御するゲートキーパ制御部１１２とを有している。
【０１１２】
ゲートキーパ通信制御部１１１は、例えば発信端末１０５から無線端末１０１への発信操作に応じて、同無線端末１０１の位置情報、すなわち同無線端末１０１を無線収容中のＩＰ基地局１０２又は基地局ゲートウェイ１０４のＩＰアドレスを要求するアドレス要求（ＡＲＱ）を同無線端末１０１から受信すると、このアドレス要求（ＡＲＱ）に応じて同無線端末１０１の位置情報に対応するＩＰ基地局１０２又は基地局ゲートウェイ１０４のＩＰアドレスを検索し、このＩＰアドレスを含むアドレス確認（ＡＣＦ）を発信端末１０５に送信するものである。
【０１１３】
その結果、発信端末１０５は、ゲートキーパ通信制御部１１１からのアドレス確認（ＡＣＦ）を受信すると、同アドレス確認（ＡＣＦ）に含まれるＩＰアドレスに基づき、同無線端末１０１を無線収容中のＩＰ基地局１０２又は基地局ゲートウェイ１０４に呼設定要求（ＳＥＴＵＰ）を送信するものである。
【０１１４】
ＩＰ基地局１０２又は基地局ゲートウェイ１０４は、発信端末１０５からの呼設定要求（ＳＥＴＵＰ）を受信すると、この呼設定要求（ＳＥＴＵＰ）を受け付けたことを示す呼設定受付（ＣＡＬＬＰＲＯＣ）を発信端末１０５に対して送信すると共に、同無線端末１０１への着呼を開始するものである。
【０１１５】
ＩＰ基地局１０２又は基地局ゲートウェイ１０４は、同無線端末１０１への着呼を開始すると、図示せぬ基地局側圏外判定タイマの計時動作を開始し、この基地局側圏外判定タイマの計時中に同着呼に対する同無線端末１０１の応答、例えば着呼応答を同無線端末１０１から受信できた場合は同無線端末１０１に対して呼設定要求信号（ＳＥＴＵＰ）を送信する一方、基地局側圏外判定タイマがタイムアップするまでに同着呼に対する着呼応答を受信できなかった場合、圏外エラーメッセージを含む解放完了（ＲＥＬＣＯＭＰ）を発信端末１０５に送信すると共に、圏外エラーメッセージを含む終了要求（ＤＲＱ）をゲートキーパ装置１０６に送信するものである。
【０１１６】
ゲートキーパ制御部１１２は、ゲートキーパ通信制御部１１１を通じて、ＩＰ基地局１０２又は基地局ゲートウェイ１０４から無線端末１０１の圏内復帰や電源投入等による位置登録要求（ＲＲＱ）を監視する位置登録要求監視部１２１と、ゲートキーパ通信制御部１１１を通じて、着呼中の無線端末１０１に関わる圏外エラーメッセージを監視する圏外エラーメッセージ監視部１２２と、この圏外エラーメッセージ監視部１２２にて無線端末１０１に関わる圏外エラーメッセージを検出すると、同無線端末１０１への着呼を保持する着呼保持制御部１２３と、無線端末１０１への着呼を保持すべく、同着呼保持に関わる無線端末１０１及び発信端末１０５の内線番号を管理する内線番号管理部１２４と、無線端末１０１への着呼保持中に、位置登録要求監視部１２１を通じて同無線端末１０１の位置登録要求（ＲＲＱ）を受信すると、この位置登録要求（ＲＲＱ）に含まれる同無線端末１０１の内線番号に対応する発信端末１０５の内線番号を内線番号管理部１２４内から検索する着呼保持検索部１２５と、この着呼保持検索部１２５の検索結果に基づき、同無線端末１０１の内線番号に対応する発信端末１０５の内線番号が内線番号管理部１２４内にある場合、同無線端末１０１への着呼が保持中であると判断し、同無線端末１０１への着呼を再開すべく、発信端末１０５に対して再発呼を要求する再発呼要求を発信端末１０５に送信する再発呼要求部１２６とを有している。
【０１１７】
圏外エラーメッセージ監視部１２２は、ゲートキーパ通信制御部１１１を通じて、ＩＰ基地局１０２（基地局ゲートウェイ１０４）からの圏外エラーメッセージを含む終了要求（ＤＲＱ）を監視するものである。
【０１１８】
着呼保持制御部１２３は、圏外エラーメッセージ監視部１２２にて無線端末１０１の圏外エラーメッセージを検出すると、同無線端末１０１の内線番号及び、同無線端末１０１へ発呼中の発信端末１０５の内線番号を対応付けて内線番号管理部１２４に格納することで同無線端末１０１への着呼を保持するものである。
【０１１９】
また、着呼保持制御部１２３は、同無線端末１０１への着呼を保持すると、着呼保持タイマ１２７の計時動作を開始し、この計時中の着呼保持タイマ１２７がタイムアップすると、内線番号管理部１２４に格納中の同無線端末１０１の内線番号に対応する発信端末１０５の内線番号を消去することで同無線端末１０１への着呼保持を解除するものである。
【０１２０】
また、着呼保持制御部１２３は、着呼保持タイマ１２７の計時中に、位置登録要求監視部１２１を通じて、同無線端末１０１を無線収容するＩＰ基地局１０２（基地局ゲートウェイ１０４）から圏内復帰した無線端末１０１の位置登録要求（ＲＲＱ）を受信すると、この位置登録要求（ＲＲＱ）に含まれる無線端末１０１の内線番号を取得するものである。
【０１２１】
着呼保持制御部１２３は、同位置登録要求（ＲＲＱ）に含まれる無線端末１０１の内線番号を取得すると、着呼保持検索部１２５を通じて、同無線端末１０１の内線番号に対応した発信端末１０５の内線番号を内線番号管理部１２４から検索し、その検索結果に基づき、同無線端末１０１の内線番号に対応する発信端末１０５の内線番号が内線番号管理部１２４内にあるか否かを判定するものである。
【０１２２】
再発呼要求部１２６は、着呼保持検索部１２５の検索結果に基づき、同無線端末１０１の内線番号に対応した発信端末１０５の内線番号が内線番号管理部１２４内にある場合、同無線端末１０１への着呼が保持中であると判断し、同無線端末１０１への再発呼を発信端末１０５に要求する再発呼要求を、ゲートキーパ通信制御部１１１を通じて、同発信端末１０５に送信するものである。
【０１２３】
その結果、発信端末１０５は、再発呼要求を受信すると、同再発呼要求に応じて再接続ガイダンスを出力すると共に、同無線端末１０１への再着呼を指示すべく、無線端末１０１の位置情報、すなわち同無線端末１０１を無線収容中のＩＰ基地局１０２（基地局ゲートウェイ１０４）のＩＰアドレスを要求するアドレス要求（ＡＲＱ）をゲートキーパ装置１０６に送信すると共に、同アドレス要求（ＡＲＱ）に対するアドレス確認（ＡＣＦ）を同ゲートキーパ装置１０６から受信すると、同アドレス確認（ＡＣＦ）に含まれる同無線端末１０１の位置情報に相当するＩＰアドレスに基づき、同無線端末１０１への再発呼に相当する呼設定要求（ＳＥＴＵＰ）を、同無線端末１０１を無線収容するＩＰ基地局１０２（基地局ゲートウェイ１０４）に送信して、圏内復帰した同無線端末１０１への着呼を再開するものである。
【０１２４】
また、ＩＰ基地局１０２（基地局ゲートウェイ１０４）は、発信端末１０５からの呼設定要求（ＳＥＴＵＰ）を受信すると、同無線端末１０１への着呼を開始し、同着呼に対する着呼応答を受信して通常の通信処理を実行した後、無線端末１０１側の応答操作に応じた接続要求信号（ＣＯＮＮＥＣＴ）を受信すると、接続要求（ＣＯＮＮＥＣＴ）を発信端末１０５に送信するものである。
【０１２５】
また、発信端末１０１は、接続要求（ＣＯＮＮＥＣＴ）を受信することで、ＩＰ基地局１０２（基地局ゲートウェイ１０４）経由で無線端末１０１との通話を確立するものである。
【０１２６】
尚、請求項７乃至１２記載のＩＰネットワークシステムはＩＰネットワークシステム１００、無線端末は無線端末１０１、無線基地局はＩＰ基地局１０２及び基地局ゲートウェイ１０４、発信端末は発信端末１０５、制御装置はゲートキーパ装置１０６、着呼保持手段は着呼保持制御部１２３、再発呼要求手段は位置登録要求監視部１２１、着呼保持検索部１２５及び再発呼要求部１２６、電話番号管理手段は内線番号管理部１２４、圏外通知手段はＩＰ基地局１０２及び基地局ゲートウェイ１０４に相当するものである。
【０１２７】
次に第２の実施の形態を示すＩＰネットワークシステム１００の動作について説明する。図９及び図１０は第２の実施の形態における圏内復帰再着呼処理に関わるＩＰネットワークシステム１００全体の処理動作を示す動作シーケンス図である。尚、説明の便宜上、内線番号１０００番の無線端末１０１の現在位置情報が移動元のＩＰ基地局１０２ＡのＩＰアドレスで、同無線端末１０１に対して内線番号２０００番の発信端末１０５が発信する場合を想定する。
【０１２８】
図９に示す圏内復帰再着呼処理は、発信端末１０５から圏外の無線端末１０１へ発呼したとしても、同無線端末１０１への着呼を保持し、同無線端末１０１への着呼保持中、例えば発信端末１０５の圏外ガイダンス報知出力中に、同無線端末１０１が圏内復帰すると、圏内復帰した無線端末１０１への着呼を再度開始する処理である。
【０１２９】
図９に示す発信端末１０５は、無線端末１０１への発信操作を検出すると（ステップＳ６１）、同無線端末１０１の位置情報に相当するＩＰアドレスを要求するアドレス要求（ＡＲＱ）をゲートキーパ装置１０６に送信する（ステップＳ６２）。
【０１３０】
ゲートキーパ装置１０６は、ゲートキーパ通信制御部１１１を通じて、アドレス要求（ＡＲＱ）を受信すると、このアドレス要求（ＡＲＱ）に含まれる無線端末１０１の内線番号に対応した位置情報、同無線端末１０１を無線収容したＩＰ基地局１０２又は基地局ゲートウェイ１０４のＩＰアドレスを検索し、このＩＰアドレスを含むアドレス確認（ＡＣＦ）を発信端末１０５に送信する（ステップＳ６３）。
【０１３１】
発信端末１０５は、アドレス確認（ＡＣＦ）を受信すると、同アドレス確認（ＡＣＦ）に含まれるＩＰアドレスに基づき、同無線端末１０１を無線収容する移動元のＩＰ基地局１０２Ａに対して発呼要求に相当する呼設定要求（ＳＥＴＵＰ）を送信する（ステップＳ６４）。
【０１３２】
移動元のＩＰ基地局１０２Ａは、呼設定要求（ＳＥＴＵＰ）を受信すると、この呼設定要求（ＳＥＴＵＰ）を受け付けたことを示す呼設定受付（ＣＡＬＬＰＲＯＣ）を発信端末１０５に送信する（ステップＳ６５）。
【０１３３】
さらに、移動元のＩＰ基地局１０２Ａは、呼設定受付（ＣＡＬＬＰＲＯＣ）を発信端末１０５に送信すると、ゲートキーパ装置１０６に対して発信端末１０５のＩＰアドレスを要求するアドレス要求（ＡＲＱ）を送信する（ステップＳ６６）。
【０１３４】
ゲートキーパ装置１０６は、アドレス要求（ＡＲＱ）を受信すると、同発信端末１０５のＩＰアドレスを含むアドレス確認（ＡＣＦ）を移動元のＩＰ基地局１０２Ａに送信する（ステップＳ６７）。
【０１３５】
移動元のＩＰ基地局１０２Ａは、アドレス確認（ＡＣＦ）を受信すると、発信端末１０５から無線端末１０１への着呼を開始する（ステップＳ６８）。
【０１３６】
移動元のＩＰ基地局１０２Ａは、無線端末１０１への着呼を開始すると、図示せぬ基地局側圏外判定タイマの計時動作を開始し（ステップＳ６９）、この基地局側圏外判定タイマの計時中に同無線端末１０１から着呼に対する着呼応答を受信できずに、同基地局側圏外判定タイマがタイムアップすると（ステップＳ７０）、同無線端末１０１が圏外であると判断し、着呼を停止し、圏外エラーメッセージを含む解放完了（ＲＥＬＣＯＭ）を発信端末１０５に送信すると共に（ステップＳ７１）、圏外エラーメッセージを含む終了要求（ＤＲＱ）をゲートキーパ装置１０６に送信する（ステップＳ７２）。
【０１３７】
また、発信端末１０５は、圏外エラーメッセージを含む解放完了（ＲＥＬＣＯＭＰ）を受信すると、発呼先の無線端末１０１が圏外であることを示す圏外ガイダンスを報知出力すると共に（ステップＳ７３）、終了要求（ＤＲＱ）をゲートキーパ装置１０６に送信する（ステップＳ７４）。尚、発信端末１０５側のユーザは、図示せぬハンドセットを通じて、圏外ガイダンスを受聴することで発呼先の無線端末１０１が圏外であることを認識することができる。また、圏外ガイダンスは、例えば着呼保持タイマ１２７がタイムアップするまで報知出力するものである。
【０１３８】
また、ゲートキーパ装置１０６は、ステップＳ７２にて圏外エラーメッセージを含む終了要求（ＤＲＱ）を受信すると、この終了要求（ＤＲＱ）を受け付けたことを示す終了確認（ＤＣＦ）を移動元のＩＰ基地局１０２Ａに送信する（ステップＳ７５Ａ）と共に、ステップＳ７４にて終了要求（ＤＲＱ）を発信端末１０５から受信すると、終了確認（ＤＣＦ）を発信端末１０５に送信する（ステップＳ７５Ｂ）。
【０１３９】
さらに、ゲートキーパ装置１０６は、ステップＳ７２にて圏外エラーメッセージを含む終了要求（ＤＲＱ）を受信すると、着呼保持制御部１２３を通じて、同無線端末１０１の内線番号に対応付けて発信端末１０５の内線番号を内線番号管理部１２４に格納することで同無線端末１０１への着呼を保持し（ステップＳ７６）、着呼保持タイマ１２７の計時動作を開始する（ステップＳ７７）。
【０１４０】
着呼保持タイマ１２７の計時中に圏外の無線端末１０１が移動先のＩＰ基地局１０２Ｂに移動した場合、移動先のＩＰ基地局１０２Ｂは、同無線端末１０１から位置登録要求を受信し（ステップＳ７８）、同無線端末１０１の位置登録要求（ＲＲＱ）をゲートキーパ装置１０６に送信する（ステップＳ７９）。
【０１４１】
ゲートキーパ装置１０６は、ゲートキーパ通信制御部１１１を通じて、位置登録要求（ＲＲＱ）を受信すると、同位置登録要求（ＲＲＱ）に含まれる内線番号に応じて同無線端末１０１の位置情報を更新すると共に、同無線端末１０１の位置登録を完了したことを示す位置登録完了（ＲＣＦ）を移動先のＩＰ基地局１０２Ｂに送信する（ステップＳ８０）。その結果、ゲートキーパ装置１０６は、圏内復帰した内線番号“１０００”の無線端末１０１の位置情報として、移動元のＩＰ基地局１０２ＡのＩＰアドレスから移動先のＩＰ基地局１０２ＢのＩＰアドレスに登録更新したことになる。
【０１４２】
移動先のＩＰ基地局１０２Ｂは、位置登録完了（ＲＣＦ）を受信すると、位置登録許可を同無線端末１０１に送信する（ステップＳ８１）。
【０１４３】
ゲートキーパ装置１０６は、位置登録要求監視部１２１を通じて、ステップＳ７９にて着呼保持タイマ１２７の計時中に無線端末１０１の位置登録要求（ＲＲＱ）を受信すると、着呼保持検索部１２５を通じて、この位置登録要求に含まれる無線端末１０１の内線番号に対する発信端末１０５の内線番号を内線番号管理部１２４から検索する（ステップＳ８２）。
【０１４４】
ゲートキーパ装置１０６は、着呼保持検索部１２５の検索結果に基づき、同無線端末１０１の内線番号に対応する発信端末１０５の内線番号が内線番号管理部１２４内にある場合（ステップＳ８３）、同無線端末１０１への着呼が保持中であると判断し、再発呼要求部１２６を通じて、圏内復帰した同無線端末１０１に対する再発呼を発信端末１０５に要求すべく、再発呼要求を発信端末１０５に送信する（ステップＳ８４）。
【０１４５】
発信端末１０５は、再発呼要求を受信すると、再接続ガイダンスを報知出力する（ステップＳ８５）。尚、発信端末１０５側のユーザは、図示せぬハンドセットを通じて、再接続ガイダンスを受聴することで、圏内復帰した無線端末１０１への再接続を認識することができる。
【０１４６】
図１０に示すゲートキーパ装置１０６は、ステップＳ８４にて再発呼要求部１２６を通じて再発呼要求を発信端末１０５に送信すると、着呼保持制御部１２３を通じて、同無線端末１０１の内線番号に対応する発信端末１０５の内線番号を内線番号管理部１２４から消去することで同無線端末１０１への着呼保持を解除する（ステップＳ９１）。
【０１４７】
また、発信端末１０５は、ステップＳ８４にてゲートキーパ装置１０６からの再発呼要求を受信すると、同圏内復帰した無線端末１０１へ再発呼すべく、同無線端末１０１の位置情報に相当する移動先のＩＰ基地局１０２ＢのＩＰアドレスを要求するアドレス要求（ＡＲＱ）をゲートキーパ装置１０６に送信する（ステップＳ９２）。
【０１４８】
ゲートキーパ装置１０６は、ゲートキーパ通信制御部１１１を通じて、アドレス要求（ＡＲＱ）を受信すると、このアドレス要求に含まれる無線端末１０１の内線番号に対応した位置情報、同無線端末１０１を無線収容する移動先のＩＰ基地局１０２ＢのＩＰアドレスを検索し、このＩＰアドレスを含むアドレス確認（ＡＣＦ）を発信端末１０５に送信する（ステップＳ９３）。
【０１４９】
発信端末１０５は、アドレス確認（ＡＣＦ）を受信すると、同アドレス確認（ＡＣＦ）に含まれるＩＰアドレスに基づき、同無線端末１０１を無線収容する移動先のＩＰ基地局１０２Ｂに対して発呼要求に相当する呼設定要求（ＳＥＴＵＰ）を送信する（ステップＳ９４）。
【０１５０】
移動先のＩＰ基地局１０２Ｂは、呼設定要求（ＳＥＴＵＰ）を受信すると、この呼設定要求（ＳＥＴＵＰ）を受け付けたことを示す呼設定受付（ＣＡＬＬＰＲＯＣ）を発信端末１０５に送信する（ステップＳ９５）。
【０１５１】
さらに、移動先のＩＰ基地局１０２Ｂは、呼設定受付（ＣＡＬＬＰＲＯＣ）を発信端末１０５に送信すると、ゲートキーパ装置１０６に対して発信端末１０５のＩＰアドレスを要求するアドレス要求（ＡＲＱ）を送信する（ステップＳ９６）。
【０１５２】
ゲートキーパ装置１０６は、アドレス要求（ＡＲＱ）を受信すると、同発信端末１０５のＩＰアドレスを含むアドレス確認（ＡＣＦ）を移動先のＩＰ基地局１０２Ｂに送信する（ステップＳ９７）。
【０１５３】
移動先のＩＰ基地局１０２Ｂは、アドレス確認（ＡＣＦ）を受信すると、発信端末１０５から無線端末１０１への再度の着呼を開始する（ステップＳ９８）。
【０１５４】
移動先のＩＰ基地局１０２Ｂは、無線端末１０１から着呼に対する着呼応答を受信すると（ステップＳ９９）、呼設定要求信号（ＳＥＴＵＰ）を無線端末１０１に送信する（ステップＳ１００）。
【０１５５】
無線端末１０１は、呼設定要求信号（ＳＥＴＵＰ）を受信すると、この呼設定要求信号（ＳＥＴＵＰ）を受け付けたことを示す呼設定受付信号（ＣＡＬＬＰＲＯＣ）を移動先のＩＰ基地局１０２Ｂに送信すると共に（ステップＳ１０１）、呼出中信号（ＡＬＥＲＴ）を移動先のＩＰ基地局１０２Ｂに送信し（ステップＳ１０２）、呼出音を鳴動出力する（ステップＳ１０３）。尚、無線端末１０１側のユーザは、呼出音の鳴動出力に応じて同無線端末１０１への着呼中を認識することができる。
【０１５６】
移動先のＩＰ基地局１０２Ｂは、ステップＳ１０２にて無線端末１０１からの呼出中信号（ＡＬＥＲＴ）を受信すると、同無線端末１０１の呼出中（ＡＬＥＲＴ）を発信端末１０５に送信する（ステップＳ１０４）。
【０１５７】
発信端末１０５は、移動先のＩＰ基地局１０２Ｂからの呼出中（ＡＬＥＲＴ）を受信すると、リングバックトーン（ＲＢＴ）を出力する（ステップＳ１０５）。尚、発信端末１０５側のユーザは、ハンドセットを通じてＲＢＴを受聴することで、発呼先の無線端末１０１の呼出中を認識することができる。
【０１５８】
さらに、無線端末１０１は、呼出音の鳴動出力中に、応答操作を検出すると（ステップＳ１０６）、接続要求信号（ＣＯＮＮＥＣＴ）を移動先のＩＰ基地局１０２Ｂに送信する（ステップＳ１０７）。
【０１５９】
移動先のＩＰ基地局１０２Ｂは、接続要求信号（ＣＯＮＮＥＣＴ）を受信すると、接続要求（ＣＮＮＥＣＴ）を発信端末１０５に送信する（ステップＳ１０８）。
【０１６０】
発信端末１０５は、接続要求（ＣＯＮＮＥＣＴ）を受信すると、移動先のＩＰ基地局１０２Ｂを通じて圏内復帰した無線端末１０１との通話を確立することになる（ステップＳ１０９）。
【０１６１】
図９及び図１０に示す圏内復帰再着呼処理によれば、発信端末１０５から無線端末１０１への着呼中に、ＩＰ基地局１０２を通じて同無線端末１０１への着呼に対する同無線端末１０１の応答、すなわち着呼応答が所定期間内にない場合、同無線端末１０１への着呼を保持すると共に、同無線端末１０１への着呼保持中に、同無線端末１０１からＩＰ基地局１０２又は基地局ゲートウェイ１０４を通じて位置登録要求を受信すると、発信端末１０５に対して、無線端末１０１への再発呼を要求する再発呼要求を送信し、発信端末１０５側は、再発呼要求を受信すると、同無線端末１０１への着呼を指示する呼設定要求（ＳＥＴＵＰ）を、同無線端末１０１を無線収容中のＩＰ基地局１０２又は基地局ゲートウェイ１０４に対して送信するようにしたので、Ｈ．３２３プロトコル通信対応のＩＰネットワークシステム１００内の発信端末１０５から無線端末１０１への着呼に対する同無線端末１０１の応答、例えば着呼応答が所定期間内になくても、同無線端末１０１への着呼保持中に、例えば同無線端末１０１が圏内復帰した、すなわち同無線端末１０１からの位置登録要求を受信した場合、新たな発呼操作を要することなく、無線端末１０１への着呼を再開することができる。
【０１６２】
また、図９及び図１０に示す圏内復帰再着呼処理においては、ステップＳ７７にて着呼保持タイマ１２７がタイムアップするまでの無線端末１０１への着呼保持中、例えば発信端末１０１側の圏外ガイダンス報知出力中に同無線端末１０１の圏内復帰、例えば無線端末１０１の位置登録要求を受信した場合を例に挙げて説明したが、発信端末１０５への圏外ガイダンス報知出力中に同無線端末１０１の圏内復帰、すなわち無線端末１０１の位置登録要求を受信できなかった場合も考えられる。
【０１６３】
そこで、無線端末１０１への着呼保持中、例えば信端末１０５への圏外ガイダンス報知出力中に同無線端末１０１の圏内復帰、すなわち無線端末１０１からの位置登録要求を受信できなかった場合のＩＰネットワークシステム１００の処理動作について説明する。図１１は圏内復帰再着呼処理に関わる圏内未復帰時のＩＰネットワークシステム１００全体の処理動作を示す動作シーケンス図である。図９に示す圏内復帰再着呼処理と同一の処理ステップについては同一符号を付すことで、その重複する処理ステップの説明については省略する。
【０１６４】
図１１に示すゲートキーパ装置１０６は、ステップＳ７７にて着呼保持タイマ１２７の計時動作を開始し、この着呼保持タイマ１２７の計時中に無線端末１０１の位置登録要求（ＲＲＱ）を受信することなく、この計時中の着呼保持タイマ１２７がタイムアップした場合（ステップＳ１２１）、内線番号管理部１２４に格納した同無線端末１０１の内線番号に対応する発信端末１０５の内線番号を消去することで同無線端末１０１への着呼保持を解除し（ステップＳ１２２）、この処理動作を終了する。なお、図示していないが、着呼保持タイマ１２７がタイムアップする前に、発信端末１０５が終話操作してゲートキーパ装置１０６が終話信号を受信した場合、タイムアップと同様に、内線番号管理部１２４に格納した同無線端末１０１の内線番号に対応する発信端末１０５の内線番号を消去することで同無線端末１０１への着呼保持を解除し、この処理動作を終了する。
【０１６５】
図１１に示す圏内復帰再着呼処理によれば、無線端末１０１への着呼に対する同無線端末１０１の応答、例えば着呼応答が所定期間内にない場合、すなわち同無線端末１０１が圏外と判定されてから、着呼保持タイマ１２７がタイムアップするまで、同無線端末１０１への着呼を保持するようにしたので、発信端末１０５側のユーザは、無線端末１０１への着呼に対する同無線端末１０１の応答、例えば着呼応答が所定期間内になくても、その後、着呼保持タイマ１２７がタイムアップするまでに同無線端末１０１が圏内復帰した場合、新たな発呼操作を要することなく、同無線端末１０１への着呼を再開することができると共に、着呼保持タイマ１２７のタイムアップ後の不要な着呼保持に要するゲートキーパ装置１０６側の負担を大幅に軽減することができる。
【０１６６】
第２の実施の形態によれば、発信端末１０５から無線端末１０１への着呼中に、ＩＰ基地局１０２又は基地局ゲートウェイ１０４を通じて同無線端末１０１への着呼に対する同無線端末１０１の応答、例えば着呼応答が所定期間内にない場合、同無線端末１０１への着呼を保持すると共に、同無線端末１０１への着呼を保持中に、同無線端末１０１からＩＰ基地局１０２又は基地局ゲートウェイ１０４を通じて位置登録要求を受信すると、発信端末１０５に対して、無線端末１０１への再発呼を要求する再発呼要求を送信し、発信端末１０５側は、再発呼要求を受信すると、同無線端末１０１への着呼を指示する呼設定要求（ＳＥＴＵＰ）を、同無線端末１０１を無線収容するＩＰ基地局１０２又は基地局ゲートウェイ１０４に対して送信するようにしたので、ＩＰネットワークシステム１００内の発信端末１０５から無線端末１０１への着呼に対する同無線端末１０１の応答が所定期間内になくても、同無線端末１０１への着呼を保持中に、例えば同無線端末１０１が圏内復帰した、すなわち同無線端末１０１からの位置登録要求を受信した場合、新たな発呼操作を要することなく、無線端末１０１への着呼を再開することができる。
【０１６７】
また、第２の実施の形態によれば、無線端末１０１への着呼を保持中に、例えば圏外の無線端末１０１から移動先のＩＰ基地局１０２Ｂを通じて位置登録要求を受信すると、この位置登録要求に含まれる同無線端末１０１の内線番号に対応する発信端末１０５の内線番号が内線番号管理部１２４内にある場合、同無線端末１０１への着呼が保持中であると判断し、この発信端末１０５に対して、同無線端末１０１への再発呼を要求する再発呼要求を送信するようにしたので、発信端末１０５から無線端末１０１への着呼に対する同無線端末１０１の応答が所定期間内になくても、同無線端末１０１への着呼保持中に、同無線端末１０１が圏内復帰した、すなわち同無線端末１０１からの位置登録要求を受信した場合、新たな発呼操作を要することなく、無線端末１０１への着呼を再開することができる。
【０１６８】
また、第２の実施の形態によれば、ＩＰ基地局１０２又は基地局ゲートウェイ１０４を通じて同無線端末１０１への着呼に対する同無線端末１０１の着呼応答が所定期間内にない場合、ＩＰ基地局１０２又は基地局ゲートウェイ１０４が発信端末１０５に対して圏外エラーメッセージを含む解放完了（ＲＥＬＣＯＭＰ）を通知し、発信端末１０５は、圏外エラーメッセージを含む解放完了（ＲＥＬＣＯＭＰ）を受信すると、無線端末１０１の無線圏外を報知する圏外ガイダンスを報知出力するようにしたので、発信端末１０５側のユーザは、圏外ガイダンスを受聴することで、発呼先の無線端末１０１側が無線圏外であることを認識することができる。
【０１６９】
また、第２の実施の形態によれば、発信端末１０５側で、ゲートキーパ装置１０６からの再発呼要求を受信すると、再接続ガイダンスを報知出力するようにしたので、発信端末１０５側のユーザは、再接続ガイダンスを受聴することで、発呼先の無線端末１０１との再接続を認識することができる。
【０１７０】
また、第２の実施の形態によれば、ＩＰ基地局１０２（基地局ゲートウェイ１０４）を通じて同無線端末１０１への着呼に対する同無線端末１０１の着呼応答が所定期間内にないと判定されてから着呼保持タイマ１２７がタイムアップするまで、同無線端末１０１への着呼を保持するようにしたので、発信端末１０５側のユーザは、無線端末１０１への着呼に対する同無線端末１０１の着呼応答が所定期間内になくても、その後、着呼保持タイマ１２７がタイムアップするまでに同無線端末１０１の位置登録要求を受信した場合、新たな発呼操作を要することなく、同無線端末１０１への着呼を再開することができると共に、着呼保持タイマ１２７のタイムアップ後の不要な着呼保持に要するゲートキーパ装置１０６側の負担を大幅に軽減することができる。
【０１７１】
尚、上記第２の実施の形態においては、無線端末１０１への着呼保持中に、移動先のＩＰ基地局１０２Ｂを通じて無線端末１０１の位置登録要求を受信した場合を例に挙げて説明したが、ＩＰ基地局１０２ではなく、基地局ゲートウェイ１０４を通じて無線端末１０１の位置登録要求を受信した場合でも同様の効果が得られること言うまでもない。
【０１７２】
また、上記第２の実施の形態においては、ＩＰ基地局１０２、基地局ゲートウェイ１０４、ゲートキーパ装置１０６及び発信端末１０５で構成するＨ．３２３プロトコル通信対応のＩＰネットワークシステム１００を例に挙げて説明したが、ＳＩＰプロトコル通信対応のＩＰネットワークシステムについても同様の効果を得ることができるため、その実施の形態につき、第３の実施の形態として説明する。
【０１７３】
（実施の形態３）
図１２は第３の実施の形態を示すＩＰネットワークシステム内部の概略構成を示すブロック図である。
【０１７４】
図１２に示すＩＰネットワークシステム２００が図７に示すＩＰネットワークシステム１００と異なるところは、ＩＰ基地局１０２、基地局ゲートウェイ１０４、発信端末１０５及びＩＰネットワーク１０７がＨ．３２３プロトコル通信に対応しているのに対し、ＩＰ基地局２０２、基地局ゲートウェイ２０４、発信端末２０５及びＩＰネットワーク２０７がＳＩＰプロトコル通信に対応している点と、ゲートキーパ装置１０６の代わりに、ＩＰ基地局２０２、基地局ゲートウェイ２０４及び発信端末２０５のＩＰアドレスを管理するＳＩＰプロキシサーバ２０６を備えた点とにある。
【０１７５】
尚、ＩＰ基地局２０２、基地局ゲートウェイ２０４、ＳＩＰプロキシサーバ２０６及び発信端末２０５は、ＳＩＰプロトコル通信対応の機器であって、ＩＰアドレスを夫々割り当てられているものとする。
【０１７６】
ＳＩＰプロキシサーバ２０６は、ＩＰネットワーク２０７を通じて基地局ゲートウェイ２０４及びＩＰ基地局２０２と接続し、例えば無線端末１０１がＩＰ基地局２０２の呼出ゾーン内に無線収容される場合、同無線端末１０１の位置情報を、同ＩＰ基地局２０２のＩＰアドレスで管理すると共に、例えば無線端末１０１が無線基地局１０３の呼出ゾーン内に無線収容される場合、同無線端末１０１の位置情報を、同無線基地局１０３を収容する基地局ゲートウェイ２０４のＩＰアドレスで管理するものである。
【０１７７】
図１３は同ＳＩＰプロキシサーバ２０６内部の概略構成を示すブロック図である。
【０１７８】
図１３に示すＳＩＰプロキシサーバ２０６は、ＩＰネットワーク２０７とのＳＩＰプロトコルの通信制御を司るＳＩＰ通信制御部２１１と、このＳＩＰプロキシサーバ２０６全体を制御するサーバ制御部２１２とを有している。
【０１７９】
ＳＩＰ通信制御部２１１は、例えば発信端末２０５から無線端末１０１への発信操作に対応して、同無線端末１０１への接続要求（ＩＮＶＩＴＥ）を受信すると、この接続要求（ＩＮＶＩＴＥ）に応じて同無線端末１０１を無線収容するＩＰ基地局２０２又は基地局ゲートウェイ２０４に対して、同無線端末１０１への着呼を要求する接続要求（ＩＮＶＩＴＥ）を送信するものである。
【０１８０】
ＩＰ基地局２０２又は基地局ゲートウェイ２０４は、ＳＩＰプロキシサーバ２０６からの接続要求（ＩＮＶＩＴＥ）を受信すると、この接続要求（ＩＮＶＩＴＥ）を受け付けたことを示す接続要求受付（１００Ｔｒｙｉｎｇ）をＳＩＰプロキシサーバ２０６に送信すると共に、同無線端末１０１への着呼を開始するものである。
【０１８１】
ＩＰ基地局２０２又は基地局ゲートウェイ２０４は、同無線端末１０１への着呼を開始すると、図示せぬ基地局側圏外判定タイマの計時動作を開始し、この基地局側圏外判定タイマの計時中に同着呼に対する同無線端末１０１の応答、例えば着呼応答を受信できた場合は同無線端末１０１に対して呼設定要求信号（ＳＥＴＵＰ）を送信する一方、基地局側圏外判定タイマがタイムアップするまでに同着呼に対する着呼応答を受信できなかった場合、圏外エラーメッセージを含む圏外エラーメッセージ（４８０）をＳＩＰプロキシサーバ２０６に送信するものである。
【０１８２】
また、サーバ制御部２１２は、ＳＩＰ通信制御部２１１を通じて、ＩＰ基地局２０２又は基地局ゲートウェイ２０４から無線端末１０１の圏内復帰や電源投入等による位置登録要求（ＲＥＧＩＳＴＥＲ）を監視する位置登録要求監視部２２１と、ＳＩＰ通信制御部２１１を通じて、着呼中の無線端末１０１に関わる圏外エラーメッセージ（４８０）を監視する圏外エラーメッセージ監視部２２２と、この圏外エラーメッセージ監視部２２２にて無線端末１０１に関わる圏外エラーメッセージを検出すると、同無線端末１０１への着呼を保持する着呼保持制御部２２３と、無線端末１０１への着呼を保持すべく、同着呼保持に関わる無線端末１０１及び発信端末２０５の内線番号を管理する内線番号管理部２２４と、無線端末１０１への着呼保持中に、位置登録要求監視部２２１を通じて同無線端末１０１の位置登録要求（ＲＥＧＩＳＴＥＲ）を受信すると、この位置登録要求（ＲＥＧＩＳＴＥＲ）に含まれる同無線端末１０１の内線番号に対応した発信端末２０５の内線番号を内線番号管理部２２４から検索する着呼保持検索部２２５と、この着呼保持検索部２２５の検索結果に基づき、同無線端末１０１の内線番号が内線番号管理部２２４内にある場合、同無線端末１０１への着呼保持中であると判断し、同無線端末１０１への着呼を再開すべく、発信端末２０５に対して再発呼を要求する再発呼要求を発信端末２０５に送信する再発呼要求部２２６とを有している。
【０１８３】
圏外エラーメッセージ監視部２２２は、ＳＩＰ通信制御部２１１を通じて、ＩＰ基地局２０２（基地局ゲートウェイ２０４）からの圏外エラーメッセージ（４８０）を監視し、この圏外エラーメッセージ（４８０）に基づき、同無線端末１０１の圏外エラーメッセージを監視するものである。
【０１８４】
着呼保持制御部２２３は、圏外エラーメッセージ監視部２２２にて無線端末１０１の圏外エラーメッセージを検出すると、同無線端末１０１の内線番号及び、同無線端末１０１へ発呼中の発信端末２０５の内線番号を対応付けて内線番号管理部２２４に格納することで同無線端末１０１への着呼を保持するものである。
【０１８５】
また、着呼保持制御部２２３は、同無線端末１０１への着呼を保持すると、着呼保持タイマ２２７の計時動作を開始し、この計時中の着呼保持タイマ２２７がタイムアップすると、内線番号管理部２２４に格納中の同無線端末１０１の内線番号に対応する発信端末２０５の内線番号を消去することで同無線端末１０１への着呼保持を解除するものである。
【０１８６】
また、着呼保持制御部２２３は、着呼保持タイマ２２７の計時中に、位置登録要求監視部２２１を通じて、同無線端末１０１を無線収容するＩＰ基地局２０２（基地局ゲートウェイ２０４）から圏内復帰した無線端末１０１の位置登録要求（ＲＥＧＩＳＴＥＲ）を受信すると、この位置登録要求（ＲＥＧＩＳＴＥＲ）に含まれる無線端末１０１の内線番号を取得するものである。
【０１８７】
着呼保持制御部２２３は、同位置登録要求（ＲＥＧＩＳＴＥＲ）に含まれる無線端末１０１の内線番号を取得すると、着呼保持検索部２２５を通じて、同無線端末１０１の内線番号に対応した発信端末２０５の内線番号を内線番号管理部２２４から検索し、その検索結果に基づき、同無線端末１０１の内線番号が内線番号管理部２２４内にあるか否かを判定するものである。
【０１８８】
再発呼要求部２２６は、着呼保持検索部２２５の検索結果に基づき、同無線端末１０１の内線番号に対応した発信端末２０５の内線番号が内線番号管理部２２４内にある場合、同無線端末１０１への着呼が保持中であると判断し、同無線端末１０１への再発呼を発信端末２０５に要求する再発呼要求を、ＳＩＰ通信制御部２１１を通じて、同発信端末２０５に送信するものである。
【０１８９】
その結果、発信端末２０５は、再発呼要求を受信すると、同再発呼要求に応じて再接続ガイダンスを出力すると共に、同無線端末１０１への再着呼を指示すべく、同無線端末１０１の接続要求（ＩＮＶＩＴＥ）をＳＩＰプロキシサーバ２０６に送信すると共に、同ＳＩＰプロキシサーバ２０６が同無線端末１０１を無線収容する、すなわち同無線端末１０１が圏内復帰したＩＰ基地局２０２（基地局ゲートウェイ２０４）に対して接続要求（ＩＮＶＩＴＥ）を送信するものである。
【０１９０】
また、ＩＰ基地局２０２（基地局ゲートウェイ２０４）は、ＳＩＰプロキシサーバ２０６からの接続要求（ＩＮＶＩＴＥ）を受信すると、同無線端末１０１への着呼を開始し、同着呼に対する着呼応答を受信して通常の通信処理を実行した後、無線端末１０１側の応答操作に応じた接続要求信号（ＣＯＮＮＥＣＴ）を受信すると、接続ＯＫ（２００ＯＫ）をＳＩＰプロキシサーバ２０６に送信するものである。
【０１９１】
ＳＩＰプロキシサーバ２０６は、接続ＯＫ（２００ＯＫ）を受信すると、発信端末２０５に対して接続ＯＫ（２００ＯＫ）を送信して、同発信端末２０５が接続ＯＫ（２００ＯＫ）を受信することで、ＩＰ基地局２０２（基地局ゲートウェイ２０４）経由で無線端末１０１との通話を確立するものである。
【０１９２】
尚、請求項７乃至１１及び１３記載のＩＰネットワークシステムはＩＰネットワークシステム２００、無線端末は無線端末１０１、無線基地局はＩＰ基地局２０２及び基地局ゲートウェイ２０４、発信端末は発信端末２０５、制御装置はＳＩＰプロキシサーバ２０６、着呼保持手段は着呼保持制御部２２３、再発呼要求手段は位置登録要求監視部２２１、着呼保持検索部２２５及び再発呼要求部２２６、電話番号管理手段は内線番号管理部２２４、圏外通知手段はＳＩＰ通信制御部２１１に相当するものである。
【０１９３】
次に第３の実施の形態を示すＩＰネットワークシステム２００の動作について説明する。図１４及び図１５は第３の実施の形態における圏内復帰再着呼処理に関わるＩＰネットワークシステム２００全体の処理動作を示す動作シーケンス図である。尚、説明の便宜上、内線番号１０００番の無線端末１０１の現在位置情報が移動元のＩＰ基地局２０２ＡのＩＰアドレスで、同無線端末１０１に対して内線番号２０００番の発信端末２０５が発信する場合を想定する。
【０１９４】
図１４に示す圏内復帰再着呼処理は、ＳＩＰプロトコル通信に対応し、発信端末２０５から圏外の無線端末１０１へ発呼したとしても、同無線端末１０１への着呼を保持し、同無線端末１０１への着呼保持中に、例えば発信端末２０５の圏外ガイダンス報知出力中に無線端末１０１が圏内復帰すると、圏内復帰した無線端末１０１への着呼を再度開始する処理である。
【０１９５】
図１４に示す発信端末２０５は、無線端末１０１への発信操作を検出すると（ステップＳ１３１）、同無線端末１０１への接続要求（ＩＮＶＩＴＥ）をＳＩＰプロキシサーバ２０６に送信する（ステップＳ１３２）。
【０１９６】
ＳＩＰプロキシサーバ２０６は、ＳＩＰ通信制御部２１１を通じて、無線端末１０１への接続要求（ＩＮＶＩＴＥ）を受信すると、この接続要求（ＩＮＶＩＴＥ）に含まれる無線端末１０１の内線番号に対応した位置情報、同無線端末１０１を無線収容したＩＰ基地局２０２又は基地局ゲートウェイ２０４のＩＰアドレスを検索し、このＩＰアドレスに基づき、無線端末１０１への接続要求（ＩＮＶＩＴＥ）を、同無線端末１０１を無線収容する移動元のＩＰ基地局２０２Ａに送信する（ステップＳ１３３）。
【０１９７】
移動元のＩＰ基地局２０２Ａは、無線端末１０１への接続要求（ＩＮＶＩＴＥ）を受信すると、この接続要求（ＩＮＶＩＴＥ）を受け付けたことを示す接続要求受付（１００Ｔｒｙｉｎｇ）をＳＩＰプロキシサーバ２０６に送信すると共に（ステップＳ１３４）、同無線端末１０１への着呼を開始する（ステップＳ１３５）。
【０１９８】
ＳＩＰプロキシサーバ２０６は、接続要求受付（１００Ｔｒｙｉｎｇ）を受信すると、この接続要求受付（１００Ｔｒｙｉｎｇ）を発信端末２０５に送信する（ステップＳ１３６）。
【０１９９】
また、移動元のＩＰ基地局２０２Ａは、同無線端末１０１への着呼を開始すると、基地局側圏外判定タイマの計時動作を開始し（ステップＳ１３７）、この基地局側圏外判定タイマの計時中に同無線端末１０１から着呼に対する着呼応答を受信できずに、同基地局側圏外判定タイマがタイムアップすると（ステップＳ１３８）、同無線端末１０１が圏外であると判断し、着呼を停止し、圏外エラーメッセージ（４８０）をＳＩＰプロキシサーバ２０６に送信する（ステップＳ１３９）。
【０２００】
ＳＩＰプロキシサーバ２０６は、移動元のＩＰ基地局２０２Ａから圏外エラーメッセージ（４８０）を受信すると、この圏外エラーメッセージ（４８０）を発信端末２０５に送信すると共に（ステップＳ１４０）、着呼保持制御部２２３を通じて、同無線端末１０１の内線番号に対応付けて発信端末２０５の内線番号を内線番号管理部２２４に格納することで同無線端末１０１の着呼を保持し（ステップＳ１４１）、着呼保持タイマ２２７の計時動作を開始する（ステップＳ１４２）。
【０２０１】
また、発信端末２０５は、ステップＳ１４０にて圏外エラーメッセージ（４８０）を受信すると、圏外ガイダンスを報知出力する（ステップＳ１４３）。尚、発信端末２０５側のユーザは、図示せぬハンドセットを通じて、圏外ガイダンスを受聴することで、発呼先の無線端末１０１が無線圏外であることを認識することができる。また、圏外ガイダンスは、例えば着呼保持タイマ２２７がタイムアップするまで報知出力するものである。
【０２０２】
着呼保持タイマ２２７の計時中に圏外の無線端末１０１が移動先のＩＰ基地局２０２Ｂに移動した場合、移動先のＩＰ基地局２０２Ｂは、同無線端末１０１から位置登録要求を受信し（ステップＳ１４４）、同無線端末の位置登録要求（ＲＥＧＩＳＴＥＲ）をＳＩＰプロキシサーバ２０６に送信する（ステップＳ１４５）。
【０２０３】
ＳＩＰプロキシサーバ２０６は、ＳＩＰ通信制御部２１１を通じて、位置登録要求（ＲＥＧＩＳＴＥＲ）を受信すると、同位置登録要求（ＲＥＧＩＳＴＥＲ）に含まれる内線番号に応じて同無線端末１０１の位置情報を更新すると共に、同無線端末１０１の位置登録を完了したことを示す位置登録完了（２００ＯＫ）を移動先のＩＰ基地局２０２Ｂに送信する（ステップＳ１４６）。
【０２０４】
移動先のＩＰ基地局２０２Ｂは、位置登録完了（２００ＯＫ）を受信すると、位置登録許可を同無線端末１０１に送信する（ステップＳ１４７）。
【０２０５】
ＳＩＰプロキシサーバ２０６は、位置登録要求監視部２２１を通じて、着呼保持タイマ２２７の計時中に無線端末１０１の位置登録要求（ＲＥＧＩＳＴＥＲ）を受信すると、着呼保持検索部２２５を通じて、この位置登録要求（ＲＥＧＩＳＴＥＲ）に含まれる無線端末１０１の内線番号に対応した発信端末２０５の内線番号を内線番号管理部２２４から検索する（ステップＳ１４８）。
【０２０６】
ＳＩＰプロキシサーバ２０６は、着呼保持検索部２２５の検索結果に基づき、同無線端末１０１の内線番号に対応する発信端末２０５の内線番号が内線番号管理部２２４内にある場合（ステップＳ１４９）、同無線端末１０１への着呼が保持中であると判断し、再発呼要求部２２６を通じて、圏内復帰した同無線端末１０１に対する再発呼を発信端末２０５に要求すべく、再発呼要求を発信端末２０５に送信する（ステップＳ１５０）。
【０２０７】
発信端末２０５は、再発呼要求を受信すると、再接続ガイダンスを報知出力する（ステップＳ１５１）。尚、発信端末２０５側のユーザは、ハンドセットを通じて、再接続ガイダンスを受聴することで、圏内復帰した無線端末１０１への再接続を認識することができる。
【０２０８】
図１５に示すＳＩＰプロキシサーバ２０６は、ステップＳ１５０にて再発呼要求部２２６を通じて再発呼要求を発信端末２０５に送信すると、着呼保持制御部２２３を通じて、同無線端末１０１の内線番号に対応する発信端末２０５の内線番号を内線番号管理部２２４から消去することで同無線端末１０１への着呼保持を解除する（ステップＳ１６１）。
【０２０９】
発信端末２０５は、ＳＩＰプロキシサーバ２０６からの再発呼要求を受信すると、ステップＳ１５１にて再接続ガイダンスを報知出力すると共に、同圏内復帰した無線端末１０１へ再発呼すべく、同無線端末１０１への接続要求（ＩＮＶＩＴＥ）をＳＩＰプロキシサーバ２０６に送信する（ステップＳ１６２）。
【０２１０】
ＳＩＰプロキシサーバ２０６は、ＳＩＰ通信制御部２１１を通じて、同無線端末１０１への接続要求（ＩＮＶＩＴＥ）を受信すると、この接続要求（ＩＮＶＩＴＥ）に含まれる無線端末１０１の内線番号に対応した位置情報、同無線端末１０１を無線収容する移動先のＩＰ基地局２０２ＢのＩＰアドレスを検索し、このＩＰアドレスに基づき、同無線端末１０１を無線収容中の移動先のＩＰ基地局２０２Ｂに接続要求（ＩＮＶＩＥＴ）を送信する（ステップＳ１６３）。
【０２１１】
移動先のＩＰ基地局２０２Ｂは、同無線端末１０１への接続要求（ＩＮＶＩＴＥ）を受信すると、この接続要求（ＩＮＶＩＴＥ）を受け付けたことを示す接続要求受付（１００Ｔｒｙｉｎｇ）をＳＩＰプロキシサーバ２０６に送信する（ステップＳ１６４）と共に、同無線端末１０１への着呼を再開する（ステップＳ１６５）。
【０２１２】
また、ＳＩＰプロキシサーバ２０６は、ＳＩＰ通信制御部２１１を通じて、ステップＳ１６４にて接続要求受付（１００Ｔｒｙｉｎｇ）を受信すると、この接続要求受付（１００Ｔｒｙｉｎｇ）を発信端末２０５に送信する（ステップＳ１６６）。
【０２１３】
移動先のＩＰ基地局２０２Ｂは、無線端末１０１から再着呼に対する着呼応答を受信すると（ステップＳ１６７）、呼設定要求信号（ＳＥＴＵＰ）を無線端末１０１に送信する（ステップＳ１６８）。
【０２１４】
無線端末１０１は、呼設定要求信号（ＳＥＴＵＰ）を受信すると、この呼設定要求信号（ＳＥＴＵＰ）を受け付けたことを示す呼設定受付信号（ＣＡＬＬＰＲＯＣ）を移動先のＩＰ基地局２０２Ｂに送信すると共に（ステップＳ１６９）、呼出中信号（ＡＬＥＲＴ）を移動先のＩＰ基地局２０２Ｂに送信し（ステップＳ１７０）、呼出音を鳴動出力する（ステップＳ１７１）。尚、無線端末１０１側のユーザは、鳴動出力中の呼出音を受聴することで、同無線端末１０１への着呼中を認識することができる。
【０２１５】
移動先のＩＰ基地局２０２Ｂは、ステップＳ１７０にて無線端末１０１からの呼出中信号（ＡＬＥＲＴ）を受信すると、同無線端末１０１の呼出中（１８０Ｒｉｎｇｉｎｇ）をＳＩＰプロキシサーバ２０６に送信する（ステップＳ１７２）。ＳＩＰプロキシサーバ２０６は、ＳＩＰ通信制御部２１１を通じて無線端末１０１の呼出中（１８０Ｒｉｎｇｉｎｇ）を受信すると、その無線端末１０１の呼出中（１８０Ｒｉｎｇｉｎｇ）を発信端末２０５に送信する（ステップＳ１７３）。
【０２１６】
発信端末２０５は、ＳＩＰプロキシサーバ２０６からの呼出中（１８０Ｒｉｎｇｉｎｇ）を受信すると、リングバックトーン（ＲＢＴ）を出力する（ステップＳ１７４）。尚、発信端末２０５側のユーザは、ハンドセットを通じてＲＢＴを受聴することで、発呼先の無線端末１０１への呼出中を認識することができる。
【０２１７】
さらに、無線端末１０１は、呼出音の鳴動出力中に、応答操作を検出すると（ステップＳ１７５）、接続要求信号（ＣＯＮＮＥＣＴ）を移動先のＩＰ基地局２０２Ｂに送信する（ステップＳ１７６）。
【０２１８】
移動先のＩＰ基地局２０２Ｂは、接続要求信号（ＣＯＮＮＥＣＴ）を受信すると、この接続ＯＫ（２００ＯＫ）をＳＩＰプロキシサーバ２０６に送信する（ステップＳ１７７）。
【０２１９】
ＳＩＰプロキシサーバ２０６は、移動先のＩＰ基地局２０２Ｂからの接続ＯＫ（２００ＯＫ）を受信すると、その接続ＯＫを発信端末２０５に送信し（ステップＳ１７８）、発信端末２０５は、移動先のＩＰ基地局２０２Ｂ及びＳＩＰプロキシサーバ２０６を通じて圏内復帰した無線端末１０１との通話を確立することになる（ステップＳ１７９）。
【０２２０】
図１４及び図１５に示す圏内復帰再着呼処理によれば、発信端末２０５から無線端末１０１への着呼中に、ＩＰ基地局２０２又は基地局ゲートウェイ２０４を通じて同無線端末１０１への着呼に対する同無線端末１０１の応答、例えば着呼応答が所定期間内にない場合、同無線端末１０１への着呼を保持すると共に、同無線端末１０１への着呼保持中に、同無線端末１０１からＩＰ基地局２０２又は基地局ゲートウェイ２０４を通じて位置登録要求を受信すると、発信端末２０５に対して、無線端末１０１への再発呼を要求する再発呼要求を送信し、発信端末２０５側は、再発呼要求を受信すると、同無線端末１０１への着呼を指示する接続要求（ＩＮＶＩＴＥ）を、同無線端末１０１を無線収容中のＩＰ基地局２０２又は基地局ゲートウェイ２０４に対して送信するようにしたので、ＳＩＰプロトコル通信対応のＩＰネットワークシステム２００内の発信端末２０５から無線端末１０１への着呼に対する同無線端末１０１の応答、例えば着呼応答が所定期間内になくても、同無線端末１０１への着呼保持中に、例えば同無線端末１０１が圏内復帰した、すなわち同無線端末１０１からの位置登録要求を受信した場合、新たな発呼操作を要することなく、無線端末１０１への着呼を再開することができる。
【０２２１】
また、図１４及び図１５の圏内復帰再着呼処理においては、着呼保持タイマ２２７がタイムアップするまでの無線端末１０１への着呼保持中、例えば発信端末２０５側の圏外ガイダンス報知出力中に同無線端末１０１の圏内復帰、すなわち無線端末１０１の位置登録要求を受信した場合を例に挙げて説明したが、発信端末２０５への圏外ガイダンス報知出力中に同無線端末１０１の圏内復帰、すなわち無線端末１０１の位置登録要求を受信できなかった場合も考えられる。
【０２２２】
そこで、無線端末１０１への着呼保持中、例えば発信端末２０５への圏外ガイダンス報知出力中に同無線端末１０１の圏内復帰、すなわち無線端末１０１からの位置登録要求を受信できなかった場合のＩＰネットワークシステム２００の処理動作について説明する。図１６は圏内復帰再着呼処理に関わる圏内未復帰時のＩＰネットワークシステム２００全体の処理動作を示す動作シーケンス図である。図１４に示す圏内復帰再着呼処理と同一の処理ステップについては同一符号を付すことで、その重複する処理ステップの説明については省略する。
【０２２３】
図１６に示すＳＩＰプロキシサーバ２０６は、ステップＳ１４２にて着呼保持タイマ２２７の計時動作を開始し、この着呼保持タイマ２２７の計時中に無線端末１０１の位置登録要求（ＲＥＧＩＳＴＥＲ）を受信することなく、この計時中の着呼保持タイマ２２７がタイムアップした場合（ステップＳ１８１）、内線番号管理部２２４に格納した同無線端末１０１の内線番号に対応する発信端末２０５の内線番号を消去することで同無線端末１０１への着呼保持を解除し（ステップＳ１８２）、この処理動作を終了する。なお、図示していないが、着呼保持タイマ２２７がタイムアップする前に、発信端末２０５が終話操作してＳＩＰプロキシサーバ２０６が終話信号を受信した場合、タイムアップと同様に、内線番号管理部２２４に格納した同無線端末１０１の内線番号に対応する発信端末２０５の内線番号を消去することで同無線端末１０１への着呼保持を解除し、この処理動作を終了する。
【０２２４】
図１６に示す圏内復帰再着呼処理によれば、無線端末１０１への着呼に対する同無線端末１０１の応答、例えば着呼応答が所定期間内にない場合、すなわち同無線端末１０１が圏外と判定されてから、着呼保持タイマ２２７がタイムアップするまで、同無線端末１０１への着呼を保持するようにしたので、発信端末２０５側のユーザは、無線端末１０１への着呼に対する同無線端末１０１の応答、例えば着呼応答が所定期間内になくても、その後、着呼保持タイマ２２７がタイムアップするまでに同無線端末１０１が圏内復帰した場合、新たな発呼操作を要することなく、同無線端末１０１への着呼を再開することができると共に、着呼保持タイマ２２７のタイムアップ後の不要な着呼保持に要するＳＩＰプロキシサーバ２０６側の負担を大幅に軽減することができる。
【０２２５】
第３の実施の形態によれば、発信端末２０５から無線端末１０１への着呼中に、ＩＰ基地局２０２又は基地局ゲートウェイ２０４を通じて同無線端末１０１への着呼に対する同無線端末１０１の応答、例えば着呼応答が所定期間内にない場合、同無線端末１０１への着呼を保持すると共に、同無線端末１０１への着呼を保持中に、同無線端末１０１からＩＰ基地局２０２又は基地局ゲートウェイ２０４を通じて位置登録要求を受信すると、発信端末２０５に対して、無線端末１０１への再発呼を要求する再発呼要求を送信し、発信端末２０５側は、再発呼要求を受信すると、同無線端末１０１への着呼を指示する接続要求（ＩＮＶＩＴＥ）を、同無線端末１０１を無線収容するＩＰ基地局２０２又は基地局ゲートウェイ２０４に対して送信するようにしたので、ＳＩＰプロトコル通信対応のＩＰネットワークシステム２００内の発信端末２０５から無線端末１０１への着呼に対する着呼応答が所定期間内になくても、同無線端末１０１への着呼を保持中に、例えば同無線端末１０１が圏内復帰した、すなわち同無線端末１０１からの位置登録要求を受信した場合、新たな発呼操作を要することなく、無線端末１０１への着呼を再開することができる。
【０２２６】
また、第３の実施の形態によれば、無線端末１０１への着呼保持中に、圏外の無線端末１０１から移動先のＩＰ基地局２０２Ｂを通じて位置登録要求を受信すると、この位置登録要求に含まれる同無線端末１０１の内線番号に対応する発信端末２０５の内線番号が内線番号管理部２２４内にある場合、同無線端末１０１への着呼保持中と判断し、この発信端末２０５に対して、同無線端末１０１への再発呼を要求する再発呼要求を送信するようにしたので、発信端末２０５から無線端末１０１への着呼に対する着呼応答が所定期間内になくても、同無線端末１０１への着呼保持中に、同無線端末１０１が圏内復帰した、すなわち同無線端末１０１からの位置登録要求を受信した場合、新たな発呼操作を要することなく、無線端末１０１への着呼を再開することができる。
【０２２７】
また、第３の実施の形態によれば、ＩＰ基地局２０２又は基地局ゲートウェイ２０４を通じて同無線端末１０１への着呼に対する着呼応答が所定期間内にない場合、発信端末２０５に対して圏外エラーメッセージ（４８０）を通知し、発信端末２０５側では、圏外エラーメッセージ（４８０）を受信すると、無線端末１０１の無線圏外を報知する圏外ガイダンスを報知出力するようにしたので、発信端末２０５側のユーザは、圏外ガイダンスを受聴することで、発呼先の無線端末１０１の無線圏外を認識することができる。
【０２２８】
また、第３の実施の形態によれば、発信端末２０５側で、ＳＩＰプロキシサーバ２０６からの再発呼要求を受信すると、再接続ガイダンスを報知出力するようにしたので、発信端末２０５側のユーザは、再接続ガイダンスを受聴することで、発呼先の無線端末１０１との再接続を認識することができる。
【０２２９】
また、第３の実施の形態によれば、ＩＰ基地局２０２又は基地局ゲートウェイ２０４を通じて同無線端末１０１への着呼に対する着呼応答が所定期間内にないと判定されてから着呼保持タイマ２２７がタイムアップするまで、同無線端末１０１への着呼を保持するようにしたので、発信端末２０５側のユーザは、無線端末１０１への着呼に対する同無線端末１０１の着呼応答が所定期間内になくても、その後、着呼保持タイマ２２７がタイムアップするまでに位置登録要求を受信した場合、新たな発呼操作を要することなく、同無線端末１０１への着呼を再開することができると共に、着呼保持タイマ２２７のタイムアップ後の不要な着呼保持に要するＳＩＰプロキシサーバ２０６側の負担を大幅に軽減することができる。
【０２３０】
尚、上記第３の実施の形態においては、無線端末１０１への着呼保持中に、移動先のＩＰ基地局２０２Ｂを通じて無線端末１０１の位置登録要求を受信した場合を例に挙げて説明したが、ＩＰ基地局２０２ではなく、基地局ゲートウェイ２０４を通じて無線端末１０１の位置登録要求を受信した場合でも同様の効果が得られること言うまでもない。
【産業上の利用可能性】
【０２３１】
本発明の電話交換システムによれば、無線端末への着呼に対する同無線端末の応答が所定期間内にない場合、同無線端末への着呼を保持し、この着呼保持中に、例えば同無線端末が圏内復帰した、すなわち同無線端末からの位置登録要求を受信した場合、新たな発呼操作を要することなく、同無線端末への着呼を再開できる、例えば複数の無線端末を無線収容する無線基地局を収容する交換装置を備えた電話交換システムに有用である。
【図面の簡単な説明】
【０２３２】
【図１】本発明の第１の実施の形態を示す電話交換システム内部の概略構成を示すブロック図
【図２】第１の実施の形態に関わる交換装置内部の概略構成を示すブロック図
【図３】第１の実施の形態における圏内復帰再着呼処理に関わる圏内復帰時の電話交換システム全体の処理動作を示す動作シーケンス図
【図４】第１の実施の形態における圏内復帰再着呼処理に関わる圏内復帰時の電話交換システム全体の処理動作を示す動作シーケンス図
【図５】第１の実施の形態における圏内復帰再着呼処理に関わる圏内未復帰時の電話交換システム全体の処理動作を示す動作シーケンス図
【図６】第１の実施の形態における圏内復帰再着呼処理に関わる圏内未復帰時の電話交換システム全体の処理動作を示す動作シーケンス図
【図７】本発明の第２の実施の形態を示すＩＰネットワークシステム内部の概略構成を示すブロック図
【図８】第２の実施の形態に関わるゲートキーパ装置内部の概略構成を示すブロック図
【図９】第２の実施の形態における圏内復帰再着呼処理に関わる圏内復帰時のＩＰネットワークシステム全体の処理動作を示す動作シーケンス図
【図１０】第２の実施の形態における圏内復帰再着呼処理に関わる圏内復帰時のＩＰネットワークシステム全体の処理動作を示す動作シーケンス図
【図１１】第２の実施の形態における圏内復帰再着呼処理に関わる圏内未復帰時のＩＰネットワークシステム全体の処理動作を示す動作シーケンス図
【図１２】本発明の第３の実施の形態を示すＩＰネットワークシステム内部の概略構成を示すブロック図
【図１３】第３の実施の形態に関わるＳＩＰプロキシサーバ内部の概略構成を示すブロック図
【図１４】第３の実施の形態における圏内復帰再着呼処理に関わる圏内復帰時のＩＰネットワークシステム全体の処理動作を示す動作シーケンス図
【図１５】第３の実施の形態における圏内復帰再着呼処理に関わる圏内復帰時のＩＰネットワークシステム全体の処理動作を示す動作シーケンス図
【図１６】第３の実施の形態における圏内復帰再着呼処理に関わる圏内未復帰時のＩＰネットワークシステム全体の処理動作を示す動作シーケンス図
【符号の説明】
【０２３３】
１  電話交換システム
２  無線端末
３  無線基地局
４  発信端末（終話信号送信手段）
５  公衆網（発信端末）
６  交換装置
１２  ガイダンス通知部（圏外通知手段及び再接続通知手段）
２１  位置登録要求監視部（再着呼手段）
２４  圏外判定部（着呼保持手段）
２５  着呼保持制御部（着呼保持手段）
２６  内線番号管理部（電話番号管理手段）
２７  着呼保持検索部（再着呼手段）
２８  再着呼部（再着呼手段）
２９  圏外ガイダンスタイマ（着呼保持手段）
１００  ＩＰネットワークシステム
１０１  無線端末
１０２  ＩＰ基地局（無線基地局及び圏外通知手段）
１０４  基地局ゲートウェイ（無線基地局及び圏外通知手段）
１０５  発信端末
１０６  ゲートキーパ装置（制御装置）
１２１  位置登録要求監視部（再発呼要求手段）
１２３  着呼保持制御部（着呼保持手段）
１２４  内線番号管理部（電話番号管理手段）
１２５  着呼保持検索部（再発呼要求手段）
１２６  再発呼要求部（再発呼要求手段）
２００  ＩＰネットワークシステム
２０２  ＩＰ基地局（無線基地局及び圏外通知手段）
２０４  基地局ゲートウェイ（無線基地局及び圏外通知手段）
２０５  発信端末
２０６  ＳＩＰプロキシサーバ（制御装置）
２１１  ＳＩＰ通信制御部（圏外通知手段）
２２１  位置登録要求監視部（再発呼要求手段）
２２３  着呼保持制御部（着呼保持手段）
２２４  内線番号管理部（電話番号管理手段）
２２５  着呼保持検索部（再発呼要求手段）
２２６  再発呼要求部（再発呼要求手段）
【図１】
2008306432.tif 000003
【図２】
2008306432.tif 000004
【図３】
2008306432.tif 000005
【図４】
2008306432.tif 000006
【図５】
2008306432.tif 000007
【図６】
2008306432.tif 000008
【図７】
2008306432.tif 000009
【図８】
2008306432.tif 000010
【図９】
2008306432.tif 000011
【図１０】
2008306432.tif 000012
【図１１】
2008306432.tif 000013
【図１２】
2008306432.tif 000014
【図１３】
2008306432.tif 000015
【図１４】
2008306432.tif 000016
【図１５】
2008306432.tif 000017
【図１６】
2008306432.tif 000018